(57)【特許請求の範囲】
【請求項１】
アクセス・ポイントによって実行される物理セル識別子（ＰＣＩ）を割り当てる方法であって、
物理セル識別子（ＰＣＩ）を求める要求を生成し、ネットワーク構成要素に送信することと、
前記要求に応答して、前記ネットワーク構成要素からＰＣＩのリストを受信することと、
前記ＰＣＩのリストで示されたＰＣＩに関連するパラメータと、１または複数の近隣のアクセス・ポイントから受信された１または複数のラジオ周波数（ＲＦ）パラメータとに少なくとも部分的に基づいて、前記ＰＣＩのリストからＰＣＩを選択することと、
前記選択されたＰＣＩを、その後の無線ネットワーク通信において利用することと、を備える方法。
【請求項２】
前記ＰＣＩを選択することは、前記ＰＣＩのリストのＰＣＩの優先度に少なくとも部分的に基づいて、前記ＰＣＩのリストからＰＣＩを選択することを含む請求項１に記載の方法。
【請求項３】
前記ＰＣＩを選択することは、別のアクセス・ポイントがＰＣＩを選択する確率に少なくとも部分的に基づいて、前記ＰＣＩのリストからＰＣＩを選択することを含む請求項１に記載の方法。
【請求項４】
前記ＰＣＩを選択することはさらに、それぞれのアクセス・ポイントが前記ＰＣＩを使用する場合、前記１または複数のＲＦパラメータを評価することを含む請求項１に記載の方法。
【請求項５】
前記１または複数の近隣のアクセス・ポイントから受信される前記１または複数のＲＦパラメータは、少なくとも部分的に、前記１または複数の近隣のアクセス・ポイントによって送信された信号を測定することにより、受信される、請求項４に記載の方法。
【請求項６】
前記１または複数の近隣のアクセス・ポイントから受信される前記１または複数のＲＦパラメータは、前記１または複数の近隣のアクセス・ポイントと通信する１または複数のＵＥから受信される、請求項４に記載の方法。
【請求項７】
前記１または複数の近隣のアクセス・ポイントから受信される前記１または複数のＲＦパラメータは、前記１または複数の近隣のアクセス・ポイントとのバックホール・リンクを介して受信される、請求項４に記載の方法。
【請求項８】
前記ネットワーク構成要素への前記ＰＣＩ要求は、１または複数のローカル・パラメータを備える、請求項１に記載の方法。
【請求項９】
物理セル識別子（ＰＣＩ）を割り当てる無線通信装置であって、
物理セル識別子（ＰＣＩ）を求める要求を生成し、ネットワーク構成要素に送信し、
前記要求に応答して、前記ネットワーク構成要素からＰＣＩのリストを受信し、
無線ネットワークにおける通信を容易にするために、前記リスト内の関連付けられたパラメータと、１または複数の近隣のアクセス・ポイントから受信された１または複数のラジオ周波数（ＲＦ）パラメータとに基づいて、前記ＰＣＩのリストからＰＣＩを選択し、
前記選択されたＰＣＩを、その後の無線ネットワーク通信において利用するように構成された少なくとも１つのプロセッサと、
前記少なくとも１つのプロセッサに接続されたメモリと、を備える装置。
【請求項１０】
前記少なくとも１つのプロセッサは、前記ＰＣＩのリストのＰＣＩの優先度に少なくとも部分的に基づいて、前記ＰＣＩのリストからＰＣＩを選択するようにさらに構成された、請求項９に記載の装置。
【請求項１１】
前記少なくとも１つのプロセッサは、別のアクセス・ポイントがＰＣＩを選択する確率に少なくとも部分的に基づいて、前記ＰＣＩのリストからＰＣＩを選択するようにさらに構成された、請求項９に記載の装置。
【請求項１２】
物理セル識別子（ＰＣＩ）を割り当てる装置であって、
物理セル識別子（ＰＣＩ）を求める要求を生成し、ネットワーク構成要素に送信する手段と、
前記要求に応答して、前記ネットワーク構成要素からＰＣＩのリストを受信する手段と、
前記ＰＣＩのリストで指定されたＰＣＩのパラメータと、１または複数の近隣のアクセス・ポイントから受信された１または複数のラジオ周波数（ＲＦ）パラメータとに少なくとも部分的に基づいて、前記ＰＣＩのリストからＰＣＩを選択する手段と、
前記選択されたＰＣＩを、その後の無線ネットワーク通信において利用する手段と、を備える装置。
【請求項１３】
前記ＰＣＩを選択する手段はさらに、前記ＰＣＩのリストのＰＣＩの優先度に少なくとも部分的に基づいて、前記ＰＣＩのリストからＰＣＩを選択する請求項１２に記載の装置。
【請求項１４】
前記ＰＣＩを選択する手段はさらに、別のアクセス・ポイントがＰＣＩを選択する確率に少なくとも部分的に基づいて、前記ＰＣＩのリストからＰＣＩを選択する請求項１２に記載の装置。
【請求項１５】
物理セル識別子（ＰＣＩ）を割り当てるためのコードを記憶したコンピュータ読取可能な記憶媒体であって、
前記コードは、
少なくとも１つのコンピュータに対して、物理セル識別子（ＰＣＩ）を求める要求を生成させ、ネットワーク構成要素に送信させるためのコードと、
前記少なくとも１つのコンピュータに対して、前記要求に応答して、前記ネットワーク構成要素からＰＣＩのリストを受信させるためのコードと、
前記ＰＣＩのリストで示されたＰＣＩのパラメータと、１または複数の近隣のアクセス・ポイントから受信された１または複数のラジオ周波数（ＲＦ）パラメータとに少なくとも部分的に基づいて、前記少なくとも１つのコンピュータに対して、前記ＰＣＩのリストからＰＣＩを選択させるためのコードと、
前記少なくとも１つのコンピュータに対して、前記選択されたＰＣＩを、その後の無線ネットワーク通信において利用させるためのコードと、を備えるコンピュータ読取可能な記憶媒体。
【請求項１６】
前記コードは、前記少なくとも１つのコンピュータに対して、前記ＰＣＩのリストのＰＣＩの優先度に少なくとも部分的に基づいて、前記ＰＣＩのリストからＰＣＩを選択させるためのコードをさらに備える請求項１５に記載のコンピュータ読取可能な記憶媒体。
【請求項１７】
前記コードは、別のアクセス・ポイントがＰＣＩを選択する確率に少なくとも部分的に基づいて、前記少なくとも１つのコンピュータに対して、前記ＰＣＩのリストからＰＣＩを選択させるためのコードをさらに備える請求項１５に記載のコンピュータ読取可能な記憶媒体。
【請求項１８】
物理セル識別子（ＰＣＩ）を割り当てる装置であって、
ＰＣＩを求める要求を生成し、ネットワーク構成要素へ送信するように構成されたＰＣＩ要求構成要素と、
前記要求に応答して、前記ネットワーク構成要素からＰＣＩのリストを受信するように構成されたＰＣＩ受信構成要素と、
前記ＰＣＩのリストで示されたＰＣＩに関連するパラメータと、１または複数の近隣のアクセス・ポイントから受信された１または複数のラジオ周波数（ＲＦ）パラメータとに部分的に基づいて、前記ＰＣＩのリストからＰＣＩを選択するように構成されたＰＣＩ選択構成要素とを備え、
ここで、前記ＰＣＩ選択構成要素は、前記選択されたＰＣＩを、その後の無線ネットワーク通信において利用するようにさらに構成された、装置。
【請求項１９】
前記ＰＣＩ選択構成要素は、前記ＰＣＩのリストのＰＣＩの優先度に少なくとも部分的に基づいて、前記ＰＣＩのリストからＰＣＩを選択するようにさらに構成された、請求項１８に記載の装置。
【請求項２０】
前記ＰＣＩ選択構成要素は、別のアクセス・ポイントがＰＣＩを選択する確率に少なくとも部分的に基づいて、前記ＰＣＩのリストからＰＣＩを選択するようにさらに構成された、請求項１８に記載の装置。
【請求項２１】
アクセス・ポイントによって実行される物理セル識別子（ＰＣＩ）を割り当てる方法であって、
アクセス・ポイントに関連する１または複数のパラメータを備える物理セル識別子（ＰＣＩ）要求を、前記アクセス・ポイントから受信することと、
複数の別のアクセス・ポイントから受信した１または複数の別のパラメータを評価することと、
前記１または複数の別のパラメータと比較された前記１または複数のパラメータに少なくとも部分的に基づいて、各ＰＣＩのための少なくとも１つのリスト・パラメータを示す、アクセス・ポイントのためのＰＣＩのリストを生成することとを備える方法。
【請求項２２】
前記少なくとも１つのリスト・パラメータを示すことは、前記ＰＣＩのリストにおけるＰＣＩの優先度を指定することを含む請求項２１に記載の方法。
【請求項２３】
前記少なくとも１つのリスト・パラメータを示すことは、１または複数の別のアクセス・ポイントが前記ＰＣＩを選択する確率を指定することを含む請求項２１に記載の方法。
【請求項２４】
前記リストを生成することは、前記複数の別のアクセス・ポイントのうちの少なくとも１つの１または複数の別のアクセス・ポイント・パラメータと比較された、前記アクセス・ポイントの１または複数のアクセス・ポイント・パラメータに基づいて、前記リストを優先度付けることを含む請求項２１に記載の方法。
【請求項２５】
前記１または複数のアクセス・ポイント・パラメータおよび前記１または複数の別のアクセス・ポイント・パラメータは、前記アクセス・ポイント、および、前記複数の別のアクセス・ポイントのうちの少なくとも１つにそれぞれ関連する送信電力、位置、設定、関連付けられたユーザの数、または、セルのタイプを含む請求項２４に記載の方法。
【請求項２６】
前記アクセス・ポイントへ前記ＰＣＩのリストを送信することをさらに備える請求項２１に記載の方法。
【請求項２７】
第２のパラメータのセットを備える第２のＰＣＩ要求を、第２のアクセス・ポイントから受信することと、
前記第２のパラメータのセットを分析することに少なくとも部分的に基づいて、前記第２のアクセス・ポイントのために、前記ＰＣＩのリストの置換を生成することと、
前記第２のアクセス・ポイントへ前記ＰＣＩのリストの置換を送信することとをさらに備える請求項２１に記載の方法。
【請求項２８】
物理セル識別子（ＰＣＩ）を割り当てる無線通信装置であって、
アクセス・ポイントに関連する１または複数のパラメータを備える物理セル識別子（ＰＣＩ）要求を、前記アクセス・ポイントから受信し、
複数の別のアクセス・ポイントから受信した１または複数の別のパラメータを評価し、
前記１または複数の別のパラメータと比較された前記１または複数のパラメータに少なくとも部分的に基づいて、各ＰＣＩのための少なくとも１つのリスト・パラメータを示す、アクセス・ポイントのためのＰＣＩのリストを生成するように構成された少なくとも１つのプロセッサと、
前記少なくとも１つのプロセッサに接続されたメモリと、を備える装置。
【請求項２９】
前記少なくとも１つのリスト・パラメータを示すことは、前記ＰＣＩのリストにおけるＰＣＩの優先度を指定することを含む請求項２８に記載の装置。
【請求項３０】
前記少なくとも１つのリスト・パラメータを示すことは、１または複数の別のアクセス・ポイントが前記ＰＣＩを選択する確率を指定することを含む請求項２８に記載の装置。
【請求項３１】
物理セル識別子（ＰＣＩ）を割り当てる装置であって、
アクセス・ポイントに関連する１または複数のパラメータを備える物理セル識別子（ＰＣＩ）要求を、前記アクセス・ポイントから受信する手段と、
複数の別のアクセス・ポイントから受信した１または複数の別のパラメータを評価する手段と、
前記１または複数の別のパラメータと比較された前記１または複数のパラメータに少なくとも部分的に基づいて、各ＰＣＩのための少なくとも１つのリスト・パラメータを備えるアクセス・ポイントのためのＰＣＩのリストを生成する手段とを備える装置。
【請求項３２】
前記少なくとも１つのリスト・パラメータを示すことは、前記ＰＣＩのリストにおけるＰＣＩの優先度を指定することを含む請求項３１に記載の装置。
【請求項３３】
前記少なくとも１つのリスト・パラメータを示すことは、１または複数の別のアクセス・ポイントが前記ＰＣＩを選択する確率を指定することを含む請求項３１に記載の装置。
【請求項３４】
物理セル識別子（ＰＣＩ）を割り当てるためのコードを記憶したコンピュータ読取可能な記憶媒体であって、
前記コードは、
少なくとも１つのコンピュータに対して、アクセス・ポイントに関連する１または複数のパラメータを備える物理セル識別子（ＰＣＩ）要求を、前記アクセス・ポイントから受信させるためのコードと、
前記少なくとも１つのコンピュータに対して、複数の別のアクセス・ポイントから受信した１または複数の別のパラメータを評価させるためのコードと、
前記少なくとも１つのコンピュータに対して、前記１または複数の別のパラメータと比較された前記１または複数のパラメータに少なくとも部分的に基づいて、各ＰＣＩのための少なくとも１つのリスト・パラメータを示す、アクセス・ポイントのためのＰＣＩのリストを生成させるためのコードとを備えるコンピュータ読取可能な記憶媒体。
【請求項３５】
前記少なくとも１つのリスト・パラメータを示すことは、前記ＰＣＩのリストにおけるＰＣＩの優先度を指定することを含む請求項３４に記載のコンピュータ読取可能な記憶媒体。
【請求項３６】
前記少なくとも１つのリスト・パラメータを示すことは、１または複数の別のアクセス・ポイントが前記ＰＣＩを選択する確率を指定することを含む請求項３４に記載のコンピュータ読取可能な記憶媒体。
【請求項３７】
物理セル識別子（ＰＣＩ）を割り当てる装置であって、
アクセス・ポイントに関連する１または複数のパラメータを備える物理セル識別子（ＰＣＩ）要求を、前記アクセス・ポイントから受信するように構成されたＰＣＩパラメータ受信構成要素と、
複数の別のアクセス・ポイントから受信した１または複数の別のパラメータを評価するように構成されたＰＣＩ選択構成要素と、
前記１または複数の別のパラメータと比較された前記１または複数のパラメータに少なくとも部分的に基づいて、各ＰＣＩのための少なくとも１つのリスト・パラメータを示す、アクセス・ポイントのためのＰＣＩのリストを生成するように構成されたＰＣＩリスト構成要素とを備える装置。
【請求項３８】
前記少なくとも１つのリスト・パラメータを示すことは、前記ＰＣＩのリストにおけるＰＣＩの優先度を指定することを含む請求項３７に記載の装置。
【請求項３９】
前記少なくとも１つのリスト・パラメータを示すことは、１または複数の別のアクセス・ポイントが前記ＰＣＩを選択する確率を指定することを含む請求項３７に記載の装置。
【発明の詳細な説明】
【優先権主張】
【０００１】
本特許出願は、本願の譲受人に譲渡され、本明細書に参照によって明確に組み込まれている２００８年７月２５日出願の“ＳＹＳＴＥＭＳ  ＡＮＤ  ＭＥＴＨＯＤＳ  ＦＯＲ  ＤＩＳＴＲＩＢＵＴＥＤ」、ＳＥＲＶＥＲ−ＢＡＳＥＤ  ＰＣＩ  ＳＥＬＥＣＴＩＯＮ  ＦＯＲ  ＢＡＳＥ  ＳＴＡＴＩＯＮＳ”と題された仮出願６１／０８３，８４８号と、本願の譲受人に譲渡され、本明細書に参照によって明確に組み込まれている２００８年１０月２４日出願の“ＰＨＹＳＩＣＡＬ  ＣＥＬＬ  ＩＤＥＮＴＩＴＹ  ＡＳＳＩＧＮＭＥＮＴ”と題された仮出願６１／１０８，２７２号とに対する優先権を主張する。
【技術分野】
【０００２】
以下の記載は、一般に、無線通信に関し、さらに詳しくは、物理セル識別子の割当または選択に関する。
【背景技術】
【０００３】
無線通信システムは、例えば、音声、データ等のようなさまざまなタイプの通信コンテンツを提供するために広く開発された。一般的な無線通信システムは、（例えば、帯域幅、送信電力等のような）利用可能なシステム・リソースを共有することにより、複数のユーザとの通信をサポートすることができる多元接続システムでありうる。そのような多元接続システムの例は、符号分割多元接続（ＣＤＭＡ）システム、時分割多元接続（ＴＤＭＡ）システム、周波数分割多元接続（ＦＤＭＡ）システム、および直交周波数分割多元接続（ＯＦＤＭＡ）システム等を含む。さらに、これらシステムは、例えば、第３世代パートナシップ計画（３ＧＰＰ）、３ＧＰＰロング・ターム・イボリューション（ＬＴＥ）、ウルトラ・モバイル・ブロードバンド（ＵＭＢ）、および／または、例えばイボリューション・データ・オプティマイズド（ＥＶ−ＤＯ）のようなマルチ・キャリア無線仕様、あるいはこれら技術の１または複数の改訂技術等に準拠しうる。
【０００４】
一般に、無線多元接続通信システムは、複数のモバイル・デバイスのための通信を同時にサポートすることができる。モバイル・デバイスはそれぞれ、順方向リンクおよび逆方向リンクにおける送信によって、１または複数のアクセス・ポイント（例えば、基地局）と通信することができる。順方向リンク（すなわちダウンリンク）は、アクセス・ポイントからモバイル・デバイスへの通信リンクを称し、逆方向リンク（すなわちアップリンク）は、モバイル・デバイスからアクセス・ポイントへの通信リンクを称する。さらに、モバイル・デバイスとアクセス・ポイントとの間の通信は、単一入力単一出力（ＳＩＳＯ）システム、複数入力単一出力（ＭＩＳＯ）システム、複数入力複数出力（ＭＩＭＯ）システム等によって確立されうる。さらに、ピア・トゥ・ピア無線ネットワーク構成において、モバイル・デバイスが、他のモバイル・デバイスと（および／または、アクセス・ポイントが、他のアクセス・ポイントと）通信することができる。
【０００５】
アクセス・ポイントは、アクセス・ポイントによって提供される有効通信範囲セルまたはセクタを識別するために物理セル識別子（ＰＣＩ）を利用する。そのような識別子は、例えば、アクセス・ポイントとの接続の確立、および／または、アクセス・ポイントとの通信の継続のために、モバイル・デバイスによって利用されうる。１つの実施では、アクセス・ポイントから位置情報を受信し、位置に基づいてＰＣＩを割り当てる中央エンティティによってＰＣＩが割り当てられうる。別の実施では、アクセス・ポイントが、他のアクセス・ポイントから取得した情報に基づいて自身のＰＣＩを選択できるように、ＰＣＩ割当が配信されうる。何れの場合であれ、２つのアクセス・ポイントがＰＣＩを共有し、デバイスが、これら両方のアクセス・ポイントから受信する場合、ＰＣＩ衝突が発生しうるか、１つのアクセス・ポイントが、同じＰＣＩを有する２つのアクセス・ポイントと隣接する場合、ＰＣＩ混同が発生しうる。
【発明の概要】
【０００６】
以下は、１または複数の態様の基本的な理解を与えるために、そのような態様の簡略化された概要を示す。この概要は、考えられるすべての態様の広範囲な概観ではなく、すべての態様の重要要素や決定的要素を特定することも、何れかまたは全ての態様のスコープを線引きすることも意図されていない。その唯一の目的は、後に示されるより詳細な記載に対する前置きとして、簡略化された形式で１または複数の態様のいくつかの概念を表すことである。
【０００７】
１または複数の態様および対応する開示によれば、さまざまな態様は、ＰＣＩ衝突および／またはＰＣＩ混同を緩和または最小化するために、近隣のセルから収集された情報に少なくとも部分的に基づいて、中央物理セル識別子（ＰＣＩ）割当を容易にすることに関連して記載される。特に、アクセス・ポイントは、近隣のセルのラジオ周波数（ＲＦ）パラメータを測定し、これらパラメータを、ＰＣＩ割当エンティティへ提供しうる。アクセス・ポイントは、それに加えて、例えばアクセス・ポイントの高度や、送信電力等のようなローカル・パラメータを提供し、ＰＣＩ割当エンティティは、これらローカル・パラメータおよび近隣パラメータに基づいて、アクセス・ポイントのための１または複数のＰＣＩを生成しうる。ＰＣＩ割当エンティティは、さらに、あるいは、その代わりに、ＰＣＩの優先リストをアクセス・ポイントへ提供し、アクセス・ポイントは、このリストから、ＰＣＩを選択しうる。一例において、このリストは、上述されたローカル・パラメータおよび近隣パラメータに少なくとも部分的に基づいて優先度付けられうる。
【０００８】
関連する態様によれば、１または複数の近隣のアクセス・ポイントに関連する１または複数のＲＦパラメータを測定することを含む方法が提供される。この方法は、さらに、ＰＣＩ割当を受信するために、１または複数のＲＦパラメータをネットワーク構成要素へ送信することを含む。
【０００９】
別の態様は、無線通信装置に関する。この無線通信装置は、１または複数の周囲のアクセス・ポイントに関連する１または複数のＲＦパラメータを受信するように構成された少なくとも１つのプロセッサを含みうる。この少なくとも１つのプロセッサはさらに、１または複数のＲＦパラメータを含む、ＰＣＩを求める要求を、ネットワーク構成要素へ送信するように構成される。無線通信装置はまた、少なくとも１つのプロセッサに接続されたメモリをも備える。
【００１０】
また、別の態様は、装置に関する。この装置は、１または複数の近隣のアクセス・ポイントから１または複数のＲＦパラメータを取得する手段と、１または複数のＲＦパラメータを、ＰＣＩを求める要求とともに送信する手段とを含む。
【００１１】
また別の態様は、コンピュータ・プログラム製品に関連する。このコンピュータ・プログラム製品は、少なくとも１つのコンピュータに対して、１または複数の近隣のアクセス・ポイントに関連する１または複数のＲＦパラメータを測定させるためのコードを含むコンピュータ読取可能媒体を有しうる。このコンピュータ読取可能媒体はまた、少なくとも１つのコンピュータに対して、ＰＣＩ割当を受信するために、１または複数のＲＦパラメータをネットワーク構成要素へ送信させるためのコードを備えうる。
【００１２】
さらに、さらなる態様は、１または複数の近隣のアクセス・ポイントから１または複数のＲＦパラメータを受信する近隣測定構成要素を含む装置に関連する。この装置はさらに、１または複数のＲＦパラメータを、ＰＣＩを求める要求とともに送信するＰＣＩ要求構成要素を含みうる。
【００１３】
他の態様によれば、１または複数の近隣アクセス・ポイントに関連する１または複数のＲＦパラメータを備えるＰＣＩ要求をアクセス・ポイントから受信することを含む方法が提供される。この方法はまた、１または複数のＲＦパラメータに少なくとも部分的に基づいて、アクセス・ポイントのＰＣＩを選択することと、このＰＣＩをアクセス・ポイントへ送信することとを含む。
【００１４】
別の態様は、無線通信装置に関する。この無線通信装置は、周囲のアクセス・ポイントに関連する１または複数のＲＦパラメータを備えるＰＣＩ要求をアクセス・ポイントから受信するように構成された少なくとも１つのプロセッサを含みうる。この少なくとも１つのプロセッサはさらに、１または複数のＲＦパラメータと利用可能なＰＣＩとを比較することに少なくとも部分的に基づいて、アクセス・ポイントのＰＣＩを決定し、このＰＣＩをアクセス・ポイントへ送信するように構成されている。この無線通信装置はまた、少なくとも１つのプロセッサに接続されたメモリをも備える。
【００１５】
また、別の態様は、装置に関連する。この装置は、少なくとも１つの近隣のアクセス・ポイントに関連するアクセス・ポイントから１または複数のＲＦパラメータを受信する手段を含む。この装置はまた、１または複数のＲＦパラメータに少なくとも部分的に基づいて、アクセス・ポイントのＰＣＩを選択する手段と、このＰＣＩをアクセス・ポイントへ送信する手段とを含む。
【００１６】
また別の態様は、コンピュータ・プログラム製品に関連する。このコンピュータ・プログラム製品は、少なくとも１つのコンピュータに対して、１または複数の近隣のアクセス・ポイントに関連する１または複数のＲＦパラメータを備えるＰＣＩ要求をアクセス・ポイントから受信させるためのコードを含むコンピュータ読取可能媒体を有しうる。コンピュータ読取可能媒体はまた、少なくとも１つのコンピュータに対して、１または複数のＲＦパラメータに少なくとも部分的に基づいて、アクセス・ポイントのＰＣＩを選択させるためのコードと、少なくとも１つのコンピュータに対して、このＰＣＩをアクセス・ポイントへ送信させるためのコードとを備えうる。
【００１７】
さらに、さらなる態様は、少なくとも１つの近隣のアクセス・ポイントに関連するアクセス・ポイントから１または複数のＲＦパラメータを取得するＰＣＩパラメータ受信構成要素を含む装置に関連する。この装置はさらに、１または複数のＲＦパラメータに少なくとも部分的に基づいて、アクセス・ポイントの物理セル識別子（ＰＣＩ）を選択するＰＣＩ選択構成要素と、このＰＣＩをアクセス・ポイントへ提供するＰＣＩ送信構成要素とを含みうる。
【００１８】
それに加えて、ネットワーク構成要素からＰＣＩのリストを受信することを含む方法が提供される。この方法はまた、ＰＣＩのリストで示されたＰＣＩに関連するパラメータに少なくとも部分的に基づいて、ＰＣＩのリストからＰＣＩを選択することを含む。
【００１９】
別の態様は、無線通信装置に関する。この無線通信装置は、ネットワーク構成要素から、ＰＣＩのリストを受信するように構成された少なくとも１つのプロセッサを含みうる。少なくとも１つのプロセッサはさらに、無線ネットワークにおける通信を容易にするために、ＰＣＩのリスト内の関連付けられたパラメータに基づいて、このリストからＰＣＩを選択するように構成されている。無線通信装置はまた、少なくとも１つのプロセッサに接続されたメモリをも備える。
【００２０】
また別の態様は、装置に関連する。この装置は、ネットワーク構成要素からＰＣＩのリストを受信する手段を含む。この装置はまた、ＰＣＩのリストで指定されたＰＣＩのパラメータにしたがって、無線ネットワークにおける通信のために、ＰＣＩのリストにおけるＰＣＩを選択する手段を含む。
【００２１】
また別の態様は、コンピュータ・プログラム製品に関連する。このコンピュータ・プログラム製品は、少なくとも１つのコンピュータに対して、ネットワーク構成要素からＰＣＩのリストを受信させるためのコードを含むコンピュータ読取可能媒体を有しうる。このコンピュータ読取可能媒体はまた、少なくとも１つのコンピュータに対して、ＰＣＩのリストで示されたＰＣＩのパラメータに少なくとも部分的に基づいて、ＰＣＩのリストからＰＣＩを選択させるためのコードを備えうる。
【００２２】
さらに、さらなる態様は、ネットワーク構成要素からＰＣＩのリストを取得するＰＣＩ受信構成要素を含む装置に関連する。この装置はさらに、ＰＣＩのリストで指定されたＰＣＩのパラメータにしたがって、無線ネットワークにおける通信のために、ＰＣＩのリストにおけるＰＣＩを選択するＰＣＩ選択構成要素を含みうる。
【００２３】
さらなる態様によれば、アクセス・ポイントに関連する１または複数のパラメータを備えるＰＣＩ要求をアクセス・ポイントから受信することを含む方法が提供される。この方法はまた、複数の別のアクセス・ポイントから受信した１または複数の別のパラメータを評価することと、この１または複数の別のパラメータと比較された１または複数のパラメータに少なくとも部分的に基づいて、各ＰＣＩのための少なくとも１つのリスト・パラメータを示す、アクセス・ポイントのためのＰＣＩのリストを生成することとを含む。
【００２４】
別の態様は、無線通信装置に関連する。この無線通信装置は、アクセス・ポイントに関連する１または複数のパラメータを備えるＰＣＩ要求を、アクセス・ポイントから取得するように構成された少なくとも１つのプロセッサを含みうる。この少なくとも１つのプロセッサはさらに、複数の別のアクセス・ポイントから受信した１または複数の別のパラメータを分析し、この１または複数の別のパラメータと比較された１または複数のパラメータに少なくとも部分的に基づいて、ＰＣＩのおのおののためのリスト・パラメータを備える、アクセス・ポイントのためのＰＣＩのリストを生成するように構成されている。無線通信装置はまた、少なくとも１つのプロセッサに接続されたメモリをも備える。
【００２５】
さらに別の態様は、装置に関連する。この装置は、アクセス・ポイントに関連する１または複数のパラメータを備えるＰＣＩ要求をアクセス・ポイントから受信する手段を含む。この装置はまた、１または複数の別のアクセス・ポイントから受信された１または複数の別のパラメータと比較された１または複数のパラメータに少なくとも部分的に基づいて、各ＰＣＩのためのリスト・パラメータを備える、アクセス・ポイントのためのＰＣＩのリストを生成する手段を含む。
【００２６】
さらに別の態様は、コンピュータ・プログラム製品に関連する。このコンピュータ・プログラム製品は、少なくとも１つのコンピュータに対して、アクセス・ポイントに関連する１または複数のパラメータを備えるＰＣＩ要求をアクセス・ポイントから受信させるためのコードと、少なくとも１つのコンピュータに対して、複数の別のアクセス・ポイントから受信した１または複数の別のパラメータを評価させるためのコードと、を含むコンピュータ読取可能媒体を有しうる。このコンピュータ読取可能媒体はまた、少なくとも１つのコンピュータに対して、この１または複数の別のパラメータと比較された１または複数のパラメータに少なくとも部分的に基づいて、アクセス・ポイントのためのリスト・パラメータを備えるＰＣＩのリストを生成させるためのコードを備えうる。
【００２７】
さらに、さらなる態様は、アクセス・ポイントに関連する１または複数のパラメータを備えるＰＣＩ要求をアクセス・ポイントから取得するＰＣＩパラメータ受信構成要素を含む装置に関連する。この装置はさらに、１または複数の別のアクセス・ポイントから受信した１または複数の別のパラメータと比較された１または複数のパラメータに少なくとも部分的に基づいて、各ＰＣＩのリスト・パラメータを備える、アクセス・ポイントのためのＰＣＩのリストを生成するＰＣＩリスト構成要素を含みうる。
【００２８】
前述した目的および関連する目的を達成するために、１または複数の実施形態は、後に十分に記載され、特許請求の範囲において特に指摘されている特徴を備える。次の記載および添付図面は、１または複数の態様のある例示的な特徴を詳細に記載する。しかしながら、これらの特徴は、さまざまな態様の原理が適用される種々の方式のうちの極く僅かを示しているに過ぎず、本記載は、そのようなすべての態様およびそれらの均等物を含むことが意図されている。
【図面の簡単な説明】
【００２９】
【図１】図１は、物理セル識別子（ＰＣＩ）の中央割当を容易にする無線通信システムの実例である。
【図２】図２は、無線通信環境において適用される通信装置の実例である。
【図３】図３は、ＰＣＩを割り当てるための無線通信システムの実例である。
【図４】図４は、要求における近隣ＲＦパラメータを指定するＰＣＩ割当を要求する方法の実例である。
【図５】図５は、近隣ＲＦパラメータを備えるＰＣＩ割当を求める要求を受信する方法の実例である。
【図６】図６は、ＰＣＩ要求に基づいてＰＣＩのリストを受信する方法の実例である。
【図７】図７は、受信ＰＣＩ要求に基づいてＰＣＩリストを定式化する方法の実例である。
【図８】図８は、ＰＣＩ要求に基づいて１または複数のＰＣＩを受信するシステムの実例である。
【図９】図９は、本明細書に記載されたさまざまな態様にしたがう無線通信システムの実例である。
【図１０】図１０は、本明細書に記載された態様にしたがう無線通信ネットワークの実例である。
【図１１】図１１は、本明細書で開示されたされたさまざまなシステムおよび方法と共に適用されうる無線ネットワーク環境の実例である。
【図１２】図１２は、ＰＣＩを要求する際に近隣パラメータを送信するシステムの実例である。
【図１３】図１３は、近隣パラメータを備えるＰＣＩ要求を受信するシステムの実例である。
【図１４】図１４は、ＰＣＩ要求に応じてＰＣＩのリストを受信するシステムの実例である。
【図１５】図１５は、ＰＣＩ要求に基づいてＰＣＩのリストを生成するシステムの実例である。
【発明を実施するための形態】
【００３０】
さまざまな態様が、図面を参照して記載される。以下の記載では、説明の目的のために、１または複数の態様の完全な理解を提供するために、多くの具体的な詳細が述べられる。しかしながら、そのような態様は、これら具体的な詳細無しで実現されうることが明確である。
【００３１】
本願で使用されるように、用語「構成要素」、「モジュール」、「システム」等は、ハードウェア、ファームウェア、ハードウェアとソフトウェアとの組み合わせ、ソフトウェア、あるいは実行中のソフトウェアのうちの何れかであるコンピュータ関連エンティティを含むことが意図されている。例えば、構成要素は、限定される訳ではないが、プロセッサ上で実行中のプロセス、プロセッサ、オブジェクト、実行形式、実行スレッド、プログラム、および／またはコンピュータでありうる。例示によれば、コンピュータ・デバイス上で実行中のアプリケーションと、コンピュータ・デバイスとの両方が構成要素になりえる。１または複数の構成要素は、プロセスおよび／または実行スレッド内に存在し、構成要素は、１つのコンピュータに局在化されるか、および／または、２つ以上のコンピュータに分散されうる。さらに、これらの構成要素は、さまざまなデータ構造を格納したさまざまなコンピュータ読取可能媒体から実行可能である。これら構成要素は、例えば、信号によってローカル・システムや分散システム内の他の構成要素とインタラクトする１つの構成要素からのデータ、および／または、他のシステムを備えた例えばインターネットのようなネットワークを介して他の構成要素とインタラクトする１つの構成要素からのデータのような１または複数のデータのパケットを有する信号にしたがって、ローカル処理および／またはリモート処理によって通信することができる。
【００３２】
さらに、本明細書では、さまざまな態様が、有線端末または無線端末でありうる端末と関連して開示される。端末は、システム、デバイス、加入者ユニット、加入者局、移動局、モバイル、モバイル・デバイス、遠隔局、遠隔端末、アクセス端末、ユーザ端末、端末、通信デバイス、ユーザ・エージェント、ユーザ・デバイス、またはユーザ機器（ＵＥ）とも称されうる。無線端末は、セルラ電話、衛星電話、コードレス電話、セッション初期化プロトコル（ＳＩＰ）電話、無線ローカル・ループ（ＷＬＬ）局、携帯情報端末（ＰＤＡ）、無線接続機能を有するハンドヘルド・デバイス、コンピューティング・デバイス、あるいは、無線モデムに接続されたその他の処理デバイスでありうる。さらに、本明細書では、さまざまな態様が、基地局に関して記載される。基地局は、無線端末と通信するために利用され、アクセス・ポイント、ノードＢ、あるいはその他いくつかの用語で称されうる。
【００３３】
さらに、用語「または」は、排他的な「または」ではなく、包括的な「または」を意味することが意図されている。すなわち、別に示されていない場合、あるいは、文脈から明らかではない場合、「ＸはＡまたはＢを適用する」という句は、自然な包括的な置き換えのうちの何れかを意味することが意図されている。すなわち、「ＸはＡまたはＢを使用する。」という句は、以下の例のうちの何れによっても満足される。ＸはＡを使用する。ＸはＢを使用する。あるいは、ＸはＡとＢとの両方を使用する。さらに、本願および特許請求の範囲で使用されているような冠詞“ａ”および“ａｎ”は、特に指定されていない場合、あるいは、単数を対象としていることが文脈から明らかではない場合、一般に、「１または複数」を意味するものと解釈されるべきである。
【００３４】
本明細書に記述された技術は、例えばＣＤＭＡ、ＴＤＭＡ、ＦＤＭＡ、ＯＦＤＭＡ、ＳＣ−ＦＤＭＡ、およびその他のシステムのようなさまざまな無線通信システムのために使用される。「システム」、「ネットワーク」という用語はしばしば置換可能に使用される。ＣＤＭＡネットワークは、例えば、ユニバーサル地上ラジオ・アクセス（ＵＴＲＡ）、ｃｄｍａ２０００等のようなラジオ技術を実施することができる。ＵＴＲＡは、広帯域ＣＤＭＡ（Ｗ−ＣＤＭＡ）およびＣＤＭＡのその他の変形を含んでいる。ＣＤＭＡ２０００は、ＩＳ−２０００規格、ＩＳ−９５規格、およびＩＳ−８５６規格をカバーする。ＴＤＭＡシステムは、例えばグローバル移動体通信システム（ＧＳＭ（登録商標））のような無線技術を実現することができる。ＯＦＤＭＡシステムは、例えばイボルブドＵＴＲＡ（Ｅ−ＵＴＲＡ）、ウルトラ・モバイル・ブロードバンド（ＵＭＢ）、ＩＥＥＥ  ８０２．１１（Ｗｉ−Ｆｉ）、ＩＥＥＥ  ８０２．１６（ＷｉＭＡＸ）、ＩＥＥＥ  ８０２．２０、フラッシュ−ＯＦＤＭ（登録商標）等のような無線技術を実現しうる。ＵＴＲＡおよびＥ−ＵＴＲＡは、ユニバーサル・モバイル・テレコミュニケーション・システム（ＵＭＴＳ）の一部である。３ＧＰＰロング・ターム・イボリューション（ＬＴＥ）は、ダウンリンクではＯＦＤＭＡを適用し、アップリンクではＳＣ−ＦＤＭＡを適用するＥ−ＵＴＲＡを用いるＵＭＴＳのリリースである。ＵＴＲＡ、Ｅ−ＵＴＲＡ、ＵＭＴＳ、ＬＴＥ、およびＧＳＭは、「第３世代パートナシップ計画プロジェクト」（３ＧＰＰ）と命名された組織からのドキュメントに記述されている。さらに、ｃｄｍａ２０００およびＵＭＢは、「第３世代パートナシップ計画プロジェクト２」（３ＧＰＰ２）と命名された組織からのドキュメントに記述されている。さらに、そのような無線通信システムは、しばしばアンペア（ｕｎｐａｉｒｅｄ）な無許可のスペクトルを用いるピア・トゥ・ピア（例えば、モバイル・トゥ・モバイル）アド・ホック・ネットワーク・システム、８０２ｘｘ無線ＬＡＮ、Ｂｌｕｅｔｏｏｔｈ（登録商標）、および、その他任意の短距離または長距離の無線通信技術を含みうる。
【００３５】
さまざまな態様または特徴が、多くのデバイス、構成要素、モジュール等を含むシステムの観点から示されるだろう。さまざまなシステムが、追加のデバイス、構成要素、モジュール等を含むことができるか、および／または、図面に関連して説明されたデバイス、構成要素、モジュール等の必ずしも全てを含んでいる訳ではないことが理解され、認識されるべきである。これらアプローチの組み合わせもまた使用されうる。
【００３６】
図１を参照して、近隣のアクセス・ポイントの情報に基づいて中央ＰＣＩ割当を容易にする無線通信システム１００が例示される。システム１００は、１または複数のアクセス・ポイントに１または複数のＰＣＩを割り当てる物理セル識別子（ＰＣＩ）割当構成要素１０２を含む。ＰＣＩ割当構成要素１０２は、別のアクセス・ポイント内に存在するコア無線ネットワークの一部であるか、複数のアクセス・ポイントによってアクセス可能であるように配置されうる。ＰＣＩ割当構成要素１０２は、例えば、オペレーション、アドミニストレーション、およびマネジメント（ＯＡＭ）システムであるか、ネットワーク・マネジメント・システム（ＮＭＳ）等でありうる。システム１００はまた、複数のマクロセル・アクセス・ポイント１０４、１０６、１０８、および／または、例えばフェムトセル・アクセス・ポイントや、ピコセル・アクセス・ポイントや、中継ノード等でありうる複数の低電力アクセス・ポイント１１０、１１２、１１４を含みうる。
【００３７】
例によれば、アクセス・ポイント１１０は、例えば、起動時、電力サイクル時、接続再確立時等において、無線ネットワークへの参加を試みうる。無線ネットワークに参加することの一部として、アクセス・ポイント１１０は、他のデバイスが、アクセス・ポイント１１０と、および／または、アクセス・ポイント１１０によって実現される１または複数のセクタと、通信することを可能にするために、ＰＣＩを獲得しうる。一例において、アクセス・ポイント１１０は、例えばマクロセル・アクセス・ポイント１０４、アクセス・ポイント１１２、および／または、範囲内の実質的に任意のアクセス・ポイントのような周囲のアクセス・ポイントのラジオ周波数（ＲＦ）パラメータを測定しうる。これらＲＦパラメータは、例えば、信号品質、経路喪失、アイデンティティ（例えば、近隣のアクセス・ポイントのＰＣＩ）、トラフィック、および、アクセス・ポイントと通信しているデバイス数等に関連しうる。アクセス・ポイントは、近隣ＲＦパラメータを、オプションとして、アクセス・ポイント１１０に関する例えば位置、高度、送信電力等のような、その他のローカル・パラメータとともに、ＰＣＩ割当構成要素１０２へ提供しうる。
【００３８】
ＰＣＩ割当構成要素１０２は、これらパラメータを受信し、これらパラメータに少なくとも部分的に基づいて、アクセス・ポイント１１０のための１または複数のＰＣＩを生成しうる。例えば、ＰＣＩ割当構成要素１０２は、これらパラメータを、前述したように、受信したパラメータにおいて識別されうる、近隣のアクセス・ポイントから受信したその他のパラメータと比較しうる。例えば、アクセス・ポイント１１０が情報を提供しないか、あるいは、アクセス・ポイント１１４に関連するしきい値未満の信号品質あるいはその他のパラメータしか提供しない場合、ＰＣＩ割当構成要素１０２は、アクセス・ポイント１１４によって使用されるＰＣＩを、アクセス・ポイント１１０へ割り当てうる。これは、例えば、アクセス・ポイント１１０とアクセス・ポイント１１４との間の大きな高度差が報告されている場合特に当てはまる。別の例では、アクセス・ポイント１１０において、アクセス・ポイント１０４の信号品質または干渉が、しきい値を超えていると測定された場合、ＰＣＩ割当構成要素１０２は、アクセス・ポイント１１０へ割り当てるために、アクセス・ポイント１０４のものとは異なる別のＰＣＩ（例えば、アクセス・ポイント１１０と干渉しそうもないアクセス・ポイント１１４のＰＣＩ）を求める探索を行う。
【００３９】
別の例において、ＰＣＩ割当構成要素１０２は、アクセス・ポイント１１０のための可能なＰＣＩのリストの優先度付けを行いうる。これは、ＰＣＩ割当構成要素１０２によって受信されたパラメータに基づきうる。例えば、ＰＣＩ割当構成要素１０２は、このリストをアクセス・ポイント１１０へ送信する。これによって、アクセス・ポイント１１０は、測定された近隣パラメータ、または、例えば近隣ＲＦ情報、高度、送信電力等のようなローカル・パラメータに基づいて、このリストからＰＣＩを選択できるようになる。
【００４０】
図２に移って、無線通信環境内で適用される通信装置２００が例示される。この通信装置２００は、アクセス・ポイント、モバイル・デバイス、それらの一部、あるいは、無線ネットワークに参加する実質的に任意の通信装置でありうる。この通信装置２００は、周囲の通信装置（図示せず）のパラメータの受信および測定を行う近隣測定構成要素２０２と、無線ネットワークにおいて通信するためのＰＣＩを要求するために、コア・ネットワーク構成要素（図示せず）またはその他の構成要素と通信するＰＣＩ要求構成要素２０４と、コア・ネットワークまたはその他の構成要素からＰＣＩを取得しうるＰＣＩ受信構成要素２０６とを含む。
【００４１】
例によれば、この通信装置２００は、無線ネットワークに参加することを試みうる。ネットワークに参加することの一部として、ＰＣＩ要求構成要素２０４は、ネットワーク、および／または、１または複数のデバイスとの通信の際におけるその後の識別を可能にするために、ネットワークからのＰＣＩを要求しうる。一例において、ＰＣＩ要求構成要素２０４は、この要求に、通信装置２００（例えば、位置、高度、送信電力、あるいは、通信装置２００によって知られているその他のパラメータ）、および／または、１または複数の近隣のデバイスに関連するパラメータを含めうる。例えば、近隣測定構成要素２０２は、例えば、アイデンティティ（例えば、ＰＣＩ）、信号品質／強度、経路喪失、トラフィック等のようなパラメータを、近隣のデバイスから獲得しうる。近隣測定構成要素２０２は、近隣のデバイスからのＲＦ信号を受信し、この信号を、測定および／または復号して、パラメータを決定しうる。別の例において、近隣測定構成要素２０２は、通信装置２００と通信するデバイス（例えば、１または複数のＵＥ、あるいは、ネットワーク・アクセスを受信する他のデバイス）からの測定レポートに基づいて、パラメータを決定する。別の例において、近隣測定構成要素２０２は、そのようなパラメータを、近隣のデバイスからバックホール・リンクを介して受信しうる。
【００４２】
ＰＣＩ受信構成要素２０６は、この要求に応じて、１または複数のＰＣＩを受信しうる。例えば、ＰＣＩは、前述したように、ＰＣＩ間の衝突を最小にするために、この要求で指定されたパラメータに基づいて提供されうる。例において、ＰＣＩ受信構成要素２０６は、優先度付けされうるＰＣＩのリストを受信しうる。ローカル・パラメータ、および／または、近隣測定構成要素２０２によって取得されたものに少なくとも部分的に基づいて、ＰＣＩ選択構成要素２０８は、このリストから最適なＰＣＩを選択しうる。この例において、ＰＣＩ要求構成要素２０４は、この要求とともに、ローカル・パラメータおよび／または近隣測定パラメータを送信する必要は無く、選択ロジック（またはその一部）が、ＰＣＩが要求された構成要素によってではなく、ＰＣＩ選択構成要素２０８によって実行される。一例では、ＰＣＩのリストは、優先度付け、すなわち、ランク付けされうる。同様に、例において、このリストは、ＰＣＩのうちの１つまたはその他が、別のデバイスによって選択される確率を含みうる。
【００４３】
図３を参照して、１または複数の近隣のアクセス・ポイントに関連するパラメータとともに、ＰＣＩを要求することを容易にする無線通信システム３００が例示される。アクセス・ポイント３０２は、マクロセル基地局、フェムトセル・アクセス・ポイント、ピコセル・アクセス・ポイント、中継ノード、これらの一部、および／または、ＰＣＩが割り当てられうる実質的に任意の無線デバイスでありうる。ＰＣＩ割当構成要素１０２は、前述したように、例えばＯＡＭやＮＭＳのように、別のアクセス・ポイント、および／または、その一部に存在する（例えば、コア・ネットワーク内の）アップストリーム・ネットワーク構成要素でありうる。さらに、システム３００は、ＭＩＭＯシステムでありうるか、および／または、１または複数の無線ネットワーク・システム仕様（例えば、ＥＶ−ＤＯ、３ＧＰＰ、３ＧＰＰ２、３ＧＰＰ  ＬＴＥ、ＷｉＭＡＸ等）に準拠し、アクセス・ポイント３０２とＰＣＩ割当構成要素１０２との間の通信を容易にするための追加の構成要素を備えうる。
【００４４】
アクセス・ポイント３０２は、１または複数の近隣のアクセス・ポイントに関連するパラメータを決定するために、１または複数の近隣のアクセス・ポイントを評価する近隣測定構成要素２０２と、アクセス・ポイント３０２に関連する１または複数のパラメータを受信しうるローカル・パラメータ構成要素３０４と、ＰＣＩを求める要求を、決定されたパラメータ、および／または、１または複数のローカル・パラメータとともに送信するＰＣＩ要求構成要素２０４と、この要求に基づいて、１または複数のＰＣＩを受信しうるＰＣＩ受信構成要素２０６と、この要求に応じて複数のＰＣＩが送信される場合、ＰＣＩを選択しうるＰＣＩ選択構成要素２０８とを備えうる。ＰＣＩ割当構成要素１０２は、ＰＣＩ要求および関連付けられたパラメータを受信しうるＰＣＩパラメータ受信構成要素３０６と、これらパラメータに少なくとも部分的に基づいて、この要求に対するＰＣＩを選択するＰＣＩ選択構成要素３０８と、この要求に対する複数のＰＣＩを生成しうるＰＣＩリスト構成要素３１０と、この要求に少なくとも部分的に基づいて、１または複数のＰＣＩを送信しうるＰＣＩ送信構成要素３１２とを備える。
【００４５】
例によれば、アクセス・ポイント３０２は、無線ネットワークにおいてＰＣＩを取得することを試みうる。これは、例えば、電力サイクル後、初期セットアップ中等に無線ネットワークに参加することの一部として開始されうる。近隣測定構成要素２０２は、前述したように、近隣のアクセス・ポイントからＲＦ信号を受信し、例えば、信号強度や、経路喪失や、アクセス・ポイントまたは関連するセクタのアイデンティティ（例えばＰＣＩ）や、ネットワーク・トラフック等のような信号に関連するパラメータを測定しうる。近隣測定構成要素２０２は、例えば、これらパラメータを受信するためのラジオ受信機を用いること、ＰＣＩを知るために、受信したＵＥ測定レポートを用いること、近隣のアクセス・ポイントとバックホールを介して通信すること等によって、近隣ＲＦパラメータを取得しうる。それに加えて、ローカル・パラメータ構成要素３０４は、例えば位置、高度、送信電力等のような、アクセス・ポイント３０２に関連する１または複数のパラメータを取得しうる。ＰＣＩ要求構成要素２０４は、ＰＣＩを求める要求を生成および送信し、この要求の中に、近隣パラメータおよび／またはローカル・パラメータを含めうる。
【００４６】
ＰＣＩパラメータ受信構成要素３０６は、この要求および関連するパラメータを取得しうる。これらパラメータに基づいて、ＰＣＩ選択構成要素３０８は、アクセス・ポイント３０２のためのＰＣＩを選択しうる。例えば、ＰＣＩ選択構成要素３０８は、恐らくアクセス・ポイント３０２と干渉する他のアクセス・ポイントのＰＣＩを決定する近隣パラメータを分析しうる。ＰＣＩ選択構成要素３０８は、そのようなＰＣＩを避ける。それに加えて、ＰＣＩ選択構成要素３０８は、これらパラメータを、他のアクセス・ポイントの、受信した他のパラメータとともに分析しうる（例えば、ここで、近隣において識別されたアクセス・ポイントはさらに、ＰＩＣ割当構成要素１０２からのＰＣＩを受信し、自身のローカル・パラメータおよび近隣パラメータを提供している）。一例では、ＰＣＩ選択構成要素３０８は、レポートされた、アクセス・ポイントの高度を評価しうる。例えば、高度が高い場合、障害物が少ないであろうから、アクセス・ポイント３０２に割り当てられたＰＣＩは、（例えば、アクセス・ポイント３０２との間の信号と比べて）遠くまで移動するであろう。したがって、高度は、近隣パラメータ、すなわち、ＰＣＩの選択に影響を与えうる。同様に、アクセス・ポイント３０２の送信電力は、高い送信電力のために評価されうるので、ＰＣＩ選択構成要素３０８は、ＰＣＩが、低送信電力よりも遠い領域における別のアクセス・ポイントに割り当てられないことを保証しうる。
【００４７】
また別の例では、近隣パラメータが、しきい値を越える信号品質を有するアクセス・ポイントを含む場合、ＰＣＩ選択構成要素３０８は、同一または類似のＰＣＩをアクセス・ポイント３０２に割り当てることを避ける。ＰＣＩ選択構成要素３０８は、例えば、ラフな位置、ＲＦ近隣パラメータ、近隣のＰＣＩ、高度、送信電力等のような、アクセス・ポイント３０２からのパラメータを有し、この追加情報に基づいて、干渉を最小にするＰＣＩを選択しうる。説明するように、ＰＣＩ選択構成要素３０８は、他のアクセス・ポイントからの類似の情報をも使用しうる。ＰＣＩを選択すると、ＰＣＩ送信構成要素３１２は、アクセス・ポイント３０２にＰＣＩを提供しうる。ＰＣＩ受信構成要素２０６は、このＰＣＩを取得し、その後の送信において、このＰＣＩの使用を開始しうる。
【００４８】
別の例において、ＰＣＩリスト構成要素３１０は、１または複数のパラメータに基づいて、アクセス・ポイント３０２のＰＣＩのリストを生成しうる。この例において、アクセス・ポイント３０２は、近隣パラメータおよび／またはローカル・パラメータの一部を送信し、ＰＣＩ割当構成要素１０２は、いくつかの可能なＰＣＩを提供しうる。ＰＣＩ送信構成要素３１２は、アクセス・ポイント３０２にＰＣＩのリストを提供しうる。ＰＣＩ受信構成要素２０６は、このＰＣＩのリストを受信し、ＰＣＩ選択構成要素２０８は、このリストから、利用すべきＰＣＩを選択しうる。一例において、ＰＣＩ選択構成要素２０８のロジックは、上述したような、ＰＣＩ選択構成要素３０８に類似しうる。したがって、一例では、ＰＣＩ要求構成要素２０４は、ＰＣＩ割当構成要素１０２へローカル・パラメータを送信しうる（あるいは、何れのパラメータをも送信しない）。ローカル・パラメータは、ＰＣＩパラメータ受信構成要素３０６において受信されうる。ＰＣＩリスト構成要素３１０は、アクセス・ポイント３０２の位置、高度、送信電力等に関連しうるローカル・パラメータに基づいて、アクセス・ポイント３０２のＰＣＩのリストを決定あるいは選択しうる。
【００４９】
例において、ＰＣＩリスト構成要素３１０は、アクセス・ポイント３０２（および／またはその他のアクセス・ポイント）の受信したパラメータおよび／または既知のパラメータに基づいて、アクセス・ポイント３０２のために利用可能なＰＣＩのベスト・マッチングを判定することによって、ＰＣＩのリストを優先度付けしうる。例えば、説明するように、ＰＣＩパラメータ受信構成要素３０６は、近隣のアクセス・ポイントの位置、送信電力、高度等を含むローカル・パラメータを受信し、この情報に基づいて、ＰＣＩリスト構成要素３１０が、アクセス・ポイント３０２の位置、送信電力、高度等を、他のアクセス・ポイントのものと比較することによって、アクセス・ポイント３０２のための複数のＰＣＩを選択しうる。例えば、ＰＣＩリスト構成要素３１０は、遠く離れた別のアクセス・ポイントに関連するアクセス・ポイント３０２のための１または複数のＰＣＩを選択し、および／または、アクセス・ポイント３０２が別のアクセス・ポイントに関連する干渉を経験しないように、その位置に与えられた低い送信電力で送信しうる。ＰＣＩリスト構成要素３１０は、一例において、送信電力、位置、オペレータ設定、関連付けられたユーザの数、セルのタイプ（例えば、マクロセル、ピコセル、フェムトセル等）等にしたがって、リストの優先度付けを行いうる。
【００５０】
それに加えて、ＰＣＩリスト構成要素３１０は、他のアクセス・ポイントのリストを使用しうるが、例えば、ＰＣＩパラメータ受信構成要素３０６によって受信されたパラメータにしたがって、および／または、ＰＣＩリスト構成要素３１０によって提供された以前のリストにしたがって、リストの別の置換えを利用しうる。また別の例において、ＰＣＩリスト構成要素３１０は、与えられたアクセス・ポイントのためのＰＣＩを選択する確率にしたがって、リストをランダム化しうる。これは、例えば、所与のアクセス・ポイントの既知または受信されたパラメータ、所与のアクセス・ポイントにおけるＰＣＩ選択の履歴等に基づいて計算されうる。この点において、例えば、ＰＣＩリスト構成要素３１０は、例えば、ＰＣＩが選択される優先度、確率等のようなＰＣＩのパラメータをリスト内に含めうる。何れの場合であれ、説明するように、ＰＣＩ送信構成要素３１２は、１または複数のアクセス・ポイントによる利用のためのリストを送信しうる。このリストを受信すると、説明するように、ＰＣＩ選択構成要素２０８は、近隣測定構成要素２０２によって取得された１または複数の近隣パラメータに基づいて、利用するＰＣＩを選択しうる。したがって、この例では、ＰＣＩ選択のうちの少なくとも一部が、アクセス・ポイント３０２において実行されうる。
【００５１】
図４乃至図７を参照して、サーバ・ベースのＰＣＩ割当を提供することに関連する方法が例示される。説明の簡略化の目的のために、これら方法は一連の動作として図示および説明されているが、これら方法は、１または複数の対応によれば、いくつかの動作が、本明細書で図示および説明されたものとは異なる順序で、および／または、同時に生じうるので、これら動作順序に限定されないことが理解および認識されるべきである。例えば、当業者であれば、これら方法はその代わりに、例えば状態図におけるように、一連の相互関連する状態またはイベントとして表されうることを理解し認識するだろう。さらに、１または複数の態様にしたがって方法を実現するために、必ずしも例示された全ての動作が必要とされる訳ではない。
【００５２】
図４に移って、無線ネットワークにおいてＰＣＩを取得することを容易にする方法４００が例示される。４０２では、近隣のアクセス・ポイントに関連するＲＦパラメータが測定されうる。説明するように、これは、近隣のアクセス・ポイントから信号を受信することと、信号強度、経路喪失、トラフィック等を測定することのみならず、近隣のアクセス・ポイントの識別子および／またはＰＣＩを受信することを含みうる。さらに、これらパラメータは、説明するように、近隣のアクセス・ポイント等とのバックホール接続によって、近隣のアクセス・ポイントと通信しているＵＥから受信されうる。４０４では、通信を開始するために、ＲＦパラメータが無線ネットワークへ送信されうる。例えば、ＲＦパラメータは、ＰＣＩ要求で送信されうる。説明するように、ＲＦパラメータは、ともに送信されうるローカル・パラメータとともに、ＰＣＩを選択するために利用されうる。４０６では、上述したように、例えば、ＯＡＭや、ＮＭＳや、あるいは、ＰＣＩを割り当てるための機能を備える他の構成要素のような、無線ネットワークの構成要素からＰＣＩが受信されうる。
【００５３】
図５を参照して、受信した近隣ＲＦパラメータに基づいて、アクセス・ポイントのＰＣＩを選択する方法５００の例が示される。５０２では、近隣ＲＦパラメータを備えるＰＣＩ要求が、アクセス・ポイントから受信されうる。説明するように、これらパラメータは、近隣のアクセス・ポイントから受信した信号の、アクセス・ポイントにおける強度や、近隣のアクセス・ポイントの識別情報またはＰＣＩ等に関連しうる。５０４では、これら近隣ＲＦパラメータに基づいて、アクセス・ポイントのＰＣＩが選択されうる。例えば、（例えば、近隣リストにおいて、１または複数のＰＣＩが欠如していることによって示されるように）未使用の利用可能なＰＣＩが存在する場合、アクセス・ポイントのために、１または複数の未使用のＰＣＩが選択されうる。別の例では、ＲＦパラメータによって示されるように、しきい値を下回る信号強度を有する近隣のアクセス・ポイントのＰＣＩが、アクセス・ポイントのために選択されうる。さらに、説明するように、例えば、位置、送信電力、高度等のような、アクセス・ポイントのローカル・パラメータが考慮されうる。また、アクセス・ポイントのＰＣＩを選択するために、説明するように、以前のＰＣＩ要求において、近隣のアクセス・ポイントから受信したローカル・パラメータも同様に利用されうる。５０６では、選択されたＰＣＩが、無線ネットワーク通信における利用のために、アクセス・ポイントへ送信されうる。
【００５４】
図６に移って、ＰＣＩリストの受信、および、ＰＣＩリストからのＰＣＩの選択を容易にする方法６００の例が示される。６０２では、ＰＣＩのリストが、例えばＯＡＭ、ＮＭＳ等のような無線ネットワーク構成要素から受信されうる。このリストは、最も高くランク付けされたＰＣＩが、下位にランク付けされたＰＣＩと区別されるように優先度付けされうる。１つの例において、ＰＣＩリストは、１または複数のローカル・パラメータを指定するＰＣＩ要求に応じて受信されうることが認識されるべきである。６０４では、このリスト内のＰＣＩのパラメータに基づいて、このリストからＰＣＩが選択されうる。このパラメータは、１または複数の別のアクセス・ポイントによってＰＣＩが選択される確率や、優先度等でありうる。しかしながら、さらに、ＰＣＩは、説明するように、近隣のアクセス・ポイントに関連する測定されたＲＦパラメータに基づいて選択されうる。この点に関し、最も高くランク付けされたＰＣＩは、ＲＦパラメータによれば、最も好ましいものではないかもしれず、例えば、次に高くランク付けられたＰＣＩが選択されうる。６０６では、このＰＣＩが、識別のために、その後の無線ネットワーク通信において利用されうる。
【００５５】
図７を参照して、アクセス・ポイントのためのＰＣＩのリストを生成する方法７００の例が図示される。７０２では、ＰＣＩ要求が、アクセス・ポイントから受信されうる。例えば、このＰＣＩ要求は、位置、送信電力、高度等のような、アクセス・ポイントに関連する１または複数のパラメータを備えうる。７０４では、ＰＣＩ要求におけるパラメータが評価され、７０６では、評価されたパラメータに基づいて、アクセス・ポイントのためのＰＣＩのリストが生成されうる。例えば、このリストは、これらパラメータを、以前のＰＣＩ要求で別のアクセス・ポイントによって受信された別のパラメータ、あるいは、アクセス・ポイントおよび別のアクセス・ポイントに関するその他の既知の情報と比較することに基づいて生成されうる。さらに、前述したように、このリストは、以前のリストに基づいて生成され、ＰＣＩ衝突を最小にするために、以前のリストから、リストの置換が生成されうる。したがって、例えば、同じように位置するアクセス・ポイントがＰＣＩを要求する場合、１つのアクセス・ポイントへリストが送信され、このリストの置換バージョンが、他のアクセス・ポイントへ送信されうる。アクセス・ポイントは、前述したように、リスト優先度付けに基づいてＰＣＩを選択し、恐らくは異なるＰＣＩを選択するであろう。７０８では、このリストが、アクセス・ポイントへ送信されうる。
【００５６】
本明細書に記載された１または複数の態様によれば、パラメータの集合に基づいて、アクセス・ポイントのためのＰＣＩを決定すること、ＰＣＩリスト優先順を決定すること、等に関して推論がなされうることが認識されるだろう。本明細書で使用されるように、「推論する」または「推論」なる用語は一般に、イベントおよび／またはデータによって取得されたような観察のセットから、システム、環境、および／または、ユーザの状態の推論あるいはそれらに関する推理のプロセスを称する。推論は、特定のコンテキストまたは動作を特定するために適用されるか、あるいは、例えば状態にわたる確率分布を生成しうる。推論は、確率論的、すなわち、データおよびイベントの考慮に基づいて、該当する状態にわたる確率分布を計算することでありうる。推論はまた、イベントおよび／またはデータのセットから、より高いレベルのイベントを構築するために適用される技術を称することができる。そのような推論によって、イベントが時間的に近接していようといまいと、これらイベントおよびデータが１または幾つかのイベント・ソースおよびデータ・ソースに由来していようと、観察されたイベントおよび／または格納されたイベント・データのセットから、新たなイベントまたは動作を構築することができる。
【００５７】
図８は、無線ネットワークにおいてＰＣＩを要求することを容易にするシステム８００の実例である。このシステム８００は、複数の受信アンテナ８０６によって１または複数のモバイル・デバイス８０４から信号を受信する受信機８１０と、送信アンテナ８０８によって１または複数のモバイル・デバイス８０４へ信号を送信する送信機８２８とを備える、基地局８０２（例えば、アクセス・ポイント）を備える。受信機８１０は、受信アンテナ８０６から情報を受信する。また、受信した信号を復号するデスクランブラと動作可能に関連付けられている。さらに、受信されデスクランブルされた信号を、復調器８１２が復調する。復調されたシンボルは、プロセッサ８１４によって分析される。プロセッサ８１４は、受信機８１０によって受信された情報の分析、および／または、送信機８２８による送信のための情報の生成に特化されたプロセッサ、基地局８０２の１または複数の構成要素を制御するプロセッサ、および／または、受信機８１０によって受信された情報の分析と、送信機８２８による送信のための情報の生成と、基地局８０２の１または複数の構成要素の制御との両方を行うプロセッサでありうる。さらに、プロセッサ８１４は、メモリ８１６に接続されうる。このメモリは、信号（例えばパイロット）強度および／または干渉強度、モバイル・デバイス（単数または複数）８０４（あるいは、（図示しない）別の基地局）へ送信されるデータ、モバイル・デバイス（単数または複数）８０４（あるいは、（図示しない）別の基地局）から受信したデータ、および／または本明細書に記載されたさまざまな動作および機能を実行することに関連するその他任意の適切な情報、を推定することに関連する情報を格納している。
【００５８】
本明細書に記載されたメモリ８１６（またはデータ・ストア）は、揮発性メモリか不揮発性メモリかの何れかでありうるか、揮発性メモリと不揮発性メモリとの両方を含みうることが認識されるだろう。限定ではなく例示によって、不揮発性メモリは、読取専用メモリ（ＲＯＭ）、プログラマブルＲＯＭ（ＰＲＯＭ）、電子的プログラマブルＲＯＭ（ＥＰＲＯＭ）、電子的消去可能ＰＲＯＭ（ＥＥＰＲＯＭ）、あるいはフラッシュ・メモリを含みうる。揮発性メモリは、外部キャッシュ・メモリとして動作するランダム・アクセス・メモリ（ＲＡＭ）を含みうる。限定ではなく例示によって、ＲＡＭは、例えばシンクロナスＲＡＭ（ＳＲＡＭ）、ダイナミックＲＡＭ（ＤＲＡＭ）、シンクロナスＤＲＡＭ（ＳＤＲＡＭ）、ダブル・データ・レートＳＤＲＡＭ（ＤＤＲ  ＳＤＲＡＭ）、エンハンストＳＤＲＡＭ（ＥＳＤＲＡＭ）、シンクリンクＤＲＡＭ（ＳＬＤＲＡＭ）、およびダイレクト・ラムバスＲＡＭ（ＤＲＲＡＭ）のような多くの形態で利用可能である。主題となるシステムおよび方法のメモリ８１６は、限定される訳ではないが、これらおよびその他任意の適切なタイプのメモリを備えることが意図される。
【００５９】
プロセッサ８１４はさらに、近隣のアクセス・ポイントに関連するパラメータを取得しうる近隣測定構成要素８１８と、ＰＣＩを求める要求を、（図示しない）ネットワーク構成要素に送信しうるＰＣＩ要求構成要素８２０と、ＰＣＩ要求あるいはその他に応じて、ＰＣＩを取得しうるＰＣＩ受信構成要素８２２と、ＰＣＩのリストが受信された場合、ＰＣＩを選択しうるＰＣＩ選択構成要素８２４とに接続されている。説明するように、近隣測定構成要素８１８は、近隣のアクセス・ポイント等と通信している、あるいは通信していたモバイル・デバイス８０４からの信号を、オーバ・ザ・エアによって、あるいはバックホールによって、アクセス・ポイントから受信することによって、例えば、基地局８０２における信号強度や、識別子や、ＰＣＩ等のような近隣のアクセス・ポイントに関連するパラメータを取得しうる。一例では、ＰＣＩ要求構成要素８２０は、ネットワーク構成要素からＰＣＩを要求する際に、これらパラメータを利用しうる。さらに、あるいは、その代わりに、ＰＣＩ要求構成要素８２０は、基地局８０２のローカル・パラメータを使用して、ＰＣＩを要求しうる。
【００６０】
何れの場合も、ＰＣＩ要求構成要素８２０はＰＣＩを要求しうる。ＰＣＩ受信構成要素８２２は、ＰＣＩあるいはＰＣＩのリストを受信しうる。ＰＣＩのリストが受信された場合、ＰＣＩ選択構成要素８２４は、リストから選択しうる。これは、説明するように、近隣測定構成要素８１８によって取得されたパラメータにしたがいうる。ＰＣＩが選択されると、あるいは、ＰＣＩ受信構成要素８２２において１つのＰＣＩが受信された場合、基地局８０２は、その後の通信においてこのＰＣＩを利用しうる。さらに、プロセッサ８１４と別に示されているが、復調器８１２、近隣測定構成要素８１８、ＰＣＩ要求構成要素８２０、ＰＣＩ受信構成要素８２２、ＰＣＩ選択構成要素８２４、および／または、変調器８２６は、プロセッサ８１４あるいは複数のプロセッサ（図示せず）の一部でありうることが認識されるべきである。
【００６１】
図９に示すように、本明細書に記載されたさまざまな実施形態にしたがった無線通信システム９００が例示されている。システム９００は、複数のアンテナ・グループを含むことができる基地局９０２を含む。例えば、１つのアンテナ・グループは、アンテナ９０４およびアンテナ９０６を含むことができ、別のグループはアンテナ９０８およびアンテナ９１０を備えることができ、さらに別のグループはアンテナ９１２およびアンテナ９１４を含むことができる。おのおののアンテナ・グループについて２本のアンテナしか例示されていないが、２本より多いアンテナ、または２本より少ないアンテナも、各グループのために利用されうる。基地局９０２はさらに、送信機チェーンおよび受信機チェーンを含みうる。それらおのおのは、当業者によって理解されるように、信号の送信および受信に関連する複数の構成要素（例えば、プロセッサ、変調器、マルチプレクサ、復調器、デマルチプレクサ、アンテナなど）を備えうる。
【００６２】
基地局９０２は、例えばモバイル・デバイス９１６およびモバイル・デバイス９２２のような１または複数のモバイル・デバイスと通信しうる。しかしながら、基地局９０２は、モバイル・デバイス９１６およびモバイル・デバイス９２２に類似した実質的に任意の数のモバイル・デバイスと通信しうることが理解されるべきである。モバイル・デバイス９１６、９２２は例えば、セルラ電話、スマート・フォン、ラップトップ、ハンドヘルド通信デバイス、ハンドヘルド・コンピュータ・デバイス、衛星ラジオ、全地球測位システム、ＰＤＡ、および／または、無線通信システム９００を介して通信するのに適切なその他任意のデバイスでありうる。図示するように、モバイル・デバイス９１６はアンテナ９１２、９１４と通信している。ここで、アンテナ９１２、９１４は、順方向リンク９１８でモバイル・デバイス９１６に情報を送信し、逆方向リンク９２０でモバイル・デバイス９１６から情報を受信する。さらに、モバイル・デバイス９２２はアンテナ９０４、９０６と通信している。ここで、アンテナ９０４、９０６は、順方向リンク９２４でモバイル・デバイス９２２に情報を送信し、逆方向リンク９２６でモバイル・デバイス９２２から情報を受信する。周波数分割デュプレクス（ＦＤＤ）システムでは、例えば、順方向リンク９１８は、逆方向リンク９２０によって使用されるものとは異なる周波数帯域を使用し、順方向リンク９２４は、逆方向リンク９２６によって使用されるものとは異なる周波数帯域を使用することができる。さらに、時分割デュプレクス（ＴＤＤ）システムでは、順方向リンク９１８および逆方向リンク９２０は、共通の周波数帯域を使用し、順方向リンク９２４および逆方向リンク９２６は、共通の周波数帯域を使用することができる。
【００６３】
通信するように指定された領域および／またはアンテナのおのおののグループは、基地局９０２のセクタと称されうる。例えば、基地局９０２によってカバーされる領域のセクタ内のアクセス端末に通信するように、複数のアンテナが設計されうる。順方向リンク９１８、９２４による通信では、基地局９０２の送信アンテナは、モバイル・デバイス９１６、９２２の順方向リンク９１８、９２４の信号対雑音比を改善するためにビームフォーミングを利用しうる。また、基地局９０２が、関連付けられた有効通信範囲にランダムに散在したモバイル・デバイス９１６、９２２に送信するためにビームフォーミングを利用している間、近隣セル内のモバイル・デバイスは、すべてのモバイル・デバイスに対して単一のアンテナによって送信している基地局に比べて、少ない干渉しか被らない。さらに、モバイル・デバイス９１６およびモバイル・デバイス９２２は、ピア・トゥ・ピアまたはアド・ホック技術（図示せず）を使用して、互いに直接的に通信しうる。
【００６４】
例によれば、システム９００は、複数入力複数出力（ＭＩＭＯ）通信システムでありうる。さらに、システム９００は、例えばＦＤＤ、ＦＤＭ、ＴＤＤ、ＴＤＭ、ＣＤＭ等のような通信チャンネル（例えば、順方向リンク、逆方向リンク）を分割する実質的に任意のタイプのデュプレクス技術を利用しうる。さらに、通信チャネルは、チャネルによる複数のデバイスとの同時通信を可能にするために直交化されうる。この観点において、一例としてＯＦＤＭが利用されうる。したがって、チャネルは、期間にわたる周波数の部分に分割されうる。さらに、フレームは、期間の集合にわたる周波数の部分として定義され、例えば、フレームは、多くのＯＦＤＭシンボルを含みうる。基地局９０２は、さまざまなタイプのデータのために生成されうるチャネルによってモバイル・デバイス９１６、９２２に通信しうる。例えば、チャネルは、さまざまなタイプの一般的な通信データ、制御データ（例えば、他のチャネルのための品質情報、チャネルを介して受信されたデータのためのアクノレッジメント・インジケータ、干渉情報、基準信号等）等を通信するために生成されうる。例において、基地局９０２は、説明するように、ネットワーク構成要素（図示せず）からＰＣＩを要求しうる。一例で説明されるように、基地局９０２は、モバイル・デバイス９１６および／またはモバイル・デバイス９２２に対して、他の周囲の基地局（図示せず）のパラメータを測定させうる。
【００６５】
図１０を参照して、多くのモバイル・デバイスをサポートするように構成された無線通信システム１０００が例示される。このシステム１０００は、例えばマクロセル１００２Ａ−１００２Ｇのような複数のセルのために通信を提供する。ここで、おのおののセルは、対応するアクセス・ポイント１００４Ａ−１００４Ｇによってサービス提供される。前述したように、例えば、マクロセル１００２Ａ−１００２Ｇに関連するアクセス・ポイント１００４Ａ−１００４Ｇは、基地局でありえる。モバイル・デバイス１００６Ａ−１００６Ｉは、無線通信システム１０００全体にわたるさまざまな位置に分散して示されている。おのおののモバイル・デバイス１００６Ａ−１００６Ｉは、説明するように、順方向リンクおよび／または逆方向リンクで１または複数のアクセス・ポイント１００４Ａ−１００４Ｇと通信しうる。さらに、アクセス・ポイント１００８Ａ−１００８Ｅが図示されている。これらは、説明するように、例えばフェムトセル・アクセス・ポイント、ピコセル・アクセス・ポイント、中継ノード、モバイル基地局等のような低電力の小規模なアクセス・ポイントであり、特定のサービス位置に関連するサービスを提供する。モバイル・デバイス１００６Ａ−１００６Ｉは、さらに、あるいは、その代わりに、提供されたサービスを受信するために、これら小規模なアクセス・ポイント１００８Ａ−１００８Ｅと通信しうる。無線通信システム１０００は、一例では、広い地理的領域にわたってサービスを提供しうる（例えば、説明するように、マクロセル１００２Ａ−１００２Ｇは、近隣の数ブロックをカバーし、小規模なアクセス・ポイント１００８Ａ−１００８Ｅは、例えば住宅、オフィス・ビルディング等のような領域内に存在しうる）。例では、モバイル・デバイス１００６Ａ−１００６Ｉは、オーバ・ザ・エアおよび／またはバックホール接続によって、アクセス・ポイント１００４Ａ−１００４Ｇおよび／または１００８Ａ−１００８Ｅとの接続を確立しうる。
【００６６】
例によれば、モバイル・デバイス１００６Ａ−１００６Ｉは、無線ネットワークの全体にわたって移動することができ、さまざまなアクセス・ポイント１００４Ａ−１００４Ｇおよび／または１００８Ａ−１００８Ｅによって提供されるセルを再選択しうる。ハンドオーバは、例えば、ターゲット・アクセス・ポイントへの接近、ターゲット・アクセス・ポイントによって提供されるサービス、ターゲット・アクセス・ポイントによってサポートされているプロトコルまたは規格、ターゲット・アクセス・ポイントに関連付けられた好ましい課金等のようなさまざまな理由によって実行されうる。例において、モバイル・デバイス１００６Ｄは、アクセス・ポイント１００４Ｄと通信することができる。そして、指定された近傍内にある場合、あるいは、測定された信号強度内にある場合、小規模なアクセス・ポイント１００８Ｃへのハンドオーバが開始されうる。小規模なアクセス・ポイント１００８Ｃを再選択することを容易にするために、ソース・アクセス・ポイント１００４Ｄは、例えば、コンテキストや、その間の通信を継続することに関連するその他の情報のような、モバイル・デバイス１００６Ｄに関連する情報を、ターゲットである小規模なアクセス・ポイント１００８Ｃへ送信しうる。したがって、ターゲットである小規模なアクセス・ポイント１００８Ｃは、アクセス・ポイント１００４Ｄからのシームレスなハンドオーバを容易にするために、コンテキスト情報に基づいて、モバイル・デバイス１００６Ｄへ無線ネットワーク・アクセスを提供しうる。小規模なアクセス・ポイント１００８Ａ−１００８Ｅを無計画に展開することによって、ＰＣＩが衝突するか、あるいは、他のアクセス・ポイントによって混同されうる。本明細書に記載されたＰＣＩ割当機能は、説明するように、そのような衝突および混同を緩和しうる。
【００６７】
図１１は、無線通信システム１１００の例を示す。無線通信システム１１００は、簡潔さの目的で、１つの基地局１１１０と１つのモバイル・デバイス１１５０とを示している。しかしながら、システム１１００は、１より多い基地局、および／または、１より多いモバイル・デバイスを含むことができ、これら追加の基地局および／またはモバイル・デバイスは、以下に説明する基地局１１１０およびモバイル・デバイス１１５０の例と実質的に同じでも、別のものでもありうることが認識されるべきである。それに加えて、基地局１１１０および／またはモバイル・デバイス１１５０は、その間の無線通信を容易にするために、本明細書に記載されたシステム（図１乃至図３、図８乃至図１０）、および／または方法（図４乃至図７）を適用しうることが認識されるべきである。
【００６８】
基地局１１１０では、多くのデータ・ストリームのためのトラフィック・データが、データ・ソース１１１２から送信（ＴＸ）データ・プロセッサ１１１４へ提供される。一例によれば、おのおののデータ・ストリームが、それぞれのアンテナを介して送信される。ＴＸデータ・プロセッサ１１１４は、トラフィック・データ・ストリームをフォーマットし、このデータ・ストリームのために選択された特定の符合化スキームに基づいて符号化し、インタリーブして、符合化されたデータを提供する。
【００６９】
おのおののデータ・ストリームの符合化されたデータは、直交周波数分割多重化（ＯＦＤＭ）技術を用いてパイロット・データと多重化されうる。さらに、あるいは、その代わりに、パイロット・シンボルは、周波数分割多重化（ＦＤＭ）、時分割多重化（ＴＤＭ）、あるいは符号分割多重化（ＣＤＭ）されうる。パイロット・データは一般に、既知の方法で処理される既知のデータ・パターンであり、チャネル応答を推定するためにモバイル・デバイス１１５０において使用されうる。おのおののデータ・ストリームについて多重化されたパイロットおよび符号化されたデータは、データ・ストリームのために選択された特定の変調スキーム（例えば、バイナリ・フェーズ・シフト・キーイング（ＢＰＳＫ）、直交フェーズ・シフト・キーイング（ＱＰＳＫ）、Ｍフェーズ・シフト・キーイング（Ｍ−ＰＳＫ）、Ｍ直交振幅変調（Ｍ−ＱＡＭ）等）に基づいて変調（例えば、シンボル・マップ）され、変調シンボルが提供される。おのおののデータ・ストリームのデータ・レート、符号化、および変調は、プロセッサ１１３０によって実行または提供される指示によって決定されうる。
【００７０】
データ・ストリームの変調シンボルは、（例えば、ＯＦＤＭのために）変調シンボルを処理するＴＸ  ＭＩＭＯプロセッサ１１２０に提供される。ＴＸ  ＭＩＭＯプロセッサ１１２０は、その後、ＮＴ個の変調シンボル・ストリームを、ＮＴ個の送信機（ＴＭＴＲ）１１２２ａ乃至１１２２ｔへ提供する。さまざまな態様において、ＴＸ  ＭＩＭＯプロセッサ１１２０は、データ・ストリームのシンボルへ、および、シンボルが送信されるアンテナへ、ビームフォーミング重みを適用する。
【００７１】
おのおのの送信機１１２２は、１または複数のアナログ信号を提供するために、それぞれのシンボル・ストリームを受信して処理し、さらには、ＭＩＭＯチャネルを介した送信に適切な変調信号を提供するために、このアナログ信号を調整（例えば、増幅、フィルタ、およびアップコンバート）する。さらに、送信機１１２２ａ乃至１１２２ｔからのＮＴ個の変調信号が、ＮＴ個のアンテナ１１２４ａ乃至１１２４ｔから送信される。
【００７２】
モバイル・デバイス１１５０では、送信された変調信号が、ＮＲ個のアンテナ１１５２ａ乃至１１５２ｒによって受信され、各アンテナ１１５２から受信された信号が、それぞれの受信機（ＲＣＶＲ）１１５４ａ乃至１１５４ｒへと提供される。おのおのの受信機１１５４は、それぞれの信号を調整（例えば、フィルタ、増幅、およびダウンコンバート）し、この調整された信号をデジタル化してサンプルを提供し、さらにこのサンプルを処理して、対応する「受信された」シンボル・ストリームを提供する。
【００７３】
ＲＸデータ・プロセッサ１１６０は、ＮＲ個の受信機１１５４からＮＲ個のシンボル・ストリームを受信し、受信されたこれらシンボル・ストリームを、特定の受信機処理技術に基づいて処理して、ＮＴ個の「検出された」シンボル・ストリームを提供する。ＲＸデータ・プロセッサ１１６０は、検出されたおのおののシンボル・ストリームを復調し、デインタリーブし、復号して、そのデータ・ストリームのためのトラフィック・データを復元する。ＲＸデータ・プロセッサ１１６０による処理は、基地局１１１０におけるＴＸ  ＭＩＭＯプロセッサ１１２０およびＴＸデータ・プロセッサ１１１４によって実行されるものと相補的である。
【００７４】
プロセッサ１１７０は、上述したように、どの事前符合化行列を使用するのかを定期的に決定する。さらに、プロセッサ１１７０は、行列インデクス部およびランク値部を備えた逆方向リンク・メッセージを規定することができる。
【００７５】
逆方向リンク・メッセージは、通信リンクおよび／または受信されたデータ・ストリームに関するさまざまなタイプの情報を備えうる。逆方向リンク・メッセージは、データ・ソース１１３６から多くのデータ・ストリームのトラフィック・データをも受け取るＴＸデータ・プロセッサ１１３８によって処理され、変調器１１８０によって変調され、送信機１１５４ａ乃至１１５４ｒによって調整され、基地局１１１０へと送り返される。
【００７６】
基地局１１１０では、モバイル・デバイス１１５０からの変調信号が、アンテナ１１２４によって受信され、受信機１１２２によって調整され、復調器１１４０によって復調され、ＲＸデータ・プロセッサ１１４２によって処理されることにより、モバイル・デバイス１１５０によって送信された逆方向リンク・メッセージが抽出される。さらに、プロセッサ１１３０は、ビームフォーミング重みを決定するためにどの事前符合化行列を使用するかを決定するために、この抽出されたメッセージを処理する。
【００７７】
プロセッサ１１３０およびプロセッサ１１７０は、基地局１１１０およびモバイル・デバイス１１５０それぞれにおける動作を指示（例えば、制御、調整、管理など）する。プロセッサ１１３０およびプロセッサ１１７０はそれぞれ、プログラム・コードおよびデータを格納するメモリ１１３２およびメモリ１１７２に関連付けられうる。プロセッサ１１３０およびプロセッサ１１７０はまた、アップリンクおよびダウンリンクそれぞれのための周波数およびインパルス応答推定値を導出する計算をも実行する。
【００７８】
本明細書に記載された態様は、ハードウェア、ソフトウェア、ファームウェア、ミドルウェア、マイクロコード、あるいはそれらの任意の組み合わせによって実現されうることが理解されるべきである。ハードウェアで実現する場合、処理ユニットは、１または複数の特定用途向けＩＣ（ＡＳＩＣ）、デジタル信号プロセッサ（ＤＳＰ）、デジタル信号処理デバイス（ＤＳＰＤ）、プログラム可能論理回路（ＰＬＤ）、フィールドプログラム可能ゲート・アレイ（ＦＰＧＡ）、プロセッサ、コントローラ、マイクロ・コントローラ、マイクロ・プロセッサ、本明細書に記載の機能を実行するために設計されたその他の電子ユニット、あるいはこれらの組み合わせ内に実装されうる。
【００７９】
これら態様が、ソフトウェア、ファームウェア、ミドルウェアまたはマイクロコード、プログラム・コードまたはコード・セグメントにおいて実現される場合、それらは、例えばストレージ構成要素のような機械読取可能媒体内に格納されうる。コード・セグメントは、手順、機能、サブプログラム、プログラム、ルーチン、サブルーチン、モジュール、ソフトウェア・パッケージ、クラス、または、命令、データ構造、あるいはプログラム文からなる任意の組み合わせを表すことができる。コード・セグメントは、情報、データ、引数、パラメータ、あるいは記憶内容の引渡および／または受信を行うことによって、他のコード・セグメントまたはハードウェア回路に接続されうる。情報、引数、パラメータ、データなどは、メモリ共有、メッセージ引渡し、トークン引渡、ネットワーク送信などを含む任意の適切な手段を用いて引渡、転送、あるいは送信されうる。
【００８０】
ソフトウェアで実現する場合、本明細書に記載のこれら技術は、本明細書に記載の機能を実行するモジュール（例えば、手続き、機能等）を用いて実現されうる。ソフトウェア・コードは、メモリ・ユニット内に格納され、プロセッサによって実行されうる。メモリ・ユニットは、プロセッサ内部またはプロセッサ外部に実装されうる。プロセッサ外部に実装される場合、メモリ・ユニットは、当該技術分野で周知のさまざまな手段によってプロセッサと通信可能に接続されうる。
【００８１】
図１２を参照して、無線ネットワークにおいてＰＣＩを要求することを容易にするシステム１２００が例示される。例えば、システム１２００は、基地局、モバイル・デバイス等の中に少なくとも部分的に存在しうる。システム１２００は、プロセッサ、ソフトウェア、またはそれらの組み合わせ（例えば、ファームウェア）によって実現される機能を表す機能ブロックでありうる機能ブロックを含むものとして示されることが認識されるべきである。システム１２００は、連携して動作しうる電子構成要素の論理グループ１２０２を含む。例えば、論理グループ１２０２は、１または複数の近隣のアクセス・ポイントから１または複数のＲＦパラメータを取得するための電子構成要素１２０４を含みうる。例えば、説明するように、近隣のアクセス・ポイントから信号を受信し、評価すること、近隣のアクセス・ポイントと通信する１または複数のＵＥから信号情報を受信すること、等によってＲＦパラメータが受信されうる。それに加えて、論理グループ１２０２は、１または複数のＲＦパラメータを、ＰＣＩを求める要求とともに送信するための電子構成要素１２０６を含みうる。
【００８２】
さらに、論理グループ１２０２は、送信するための電子構成要素１２０６が要求を送信するネットワーク構成要素から、１または複数のＰＣＩを受信するための電子構成要素１２０８を含みうる。この点において、受信されたＰＣＩは、提供されたパラメータに基づきうる。さらに、論理グループ１２０２は、ＰＣＩを求める要求とともに、１または複数のローカル・パラメータを送信するための電子構成要素１２１０を含みうる。したがって、説明するように、受信されたＰＣＩはさらに、これらローカル・パラメータに基づきうる。さらに、システム１２００は、電子構成要素１２０４、１２０６、１２０８、１２１０に関連付けられた機能を実行するための命令群を保持するメモリ１２１２を含みうる。メモリ１２１２の外側にあると示されているが、電子構成要素１２０４、１２０６、１２０８、１２１０は、メモリ１２１２内に存在しうることが理解されるべきである。
【００８３】
図１３を参照して、アクセス・ポイントのためのＰＣＩを、近隣ＲＦパラメータに基づいて選択するシステム１３００が例示される。例えば、システム１３００は、基地局、モバイル・デバイス等の中に少なくとも部分的に存在しうる。システム１３００は、プロセッサ、ソフトウェア、またはそれらの組み合わせ（例えば、ファームウェア）によって実現される機能を表す機能ブロックでありうる機能ブロックを含むものとして示されることが認識されるべきである。システム１３００は、連携して動作しうる電子構成要素の論理グループ１３０２を含む。例えば、論理グループ１３０２は、少なくとも１つの近隣のアクセス・ポイントに関連するアクセス・ポイントから、１または複数のＲＦパラメータを受信するための電子構成要素１３０４を含みうる。説明するように、これらパラメータは、近隣のアクセス・ポイントの受信信号強度、識別情報、ＰＣＩ等に関連しうる。さらに、論理グループ１３０２は、１または複数のＲＦパラメータに少なくとも部分的に基づいて、アクセス・ポイントのためのＰＣＩを選択するための電子構成要素１３０６を含みうる。
【００８４】
したがって、説明するように、アクセス・ポイントがしきい値未満の信号強度しか有していないことをパラメータが示す場合、このアクセス・ポイントのために、関連するアクセス・ポイントのＰＣＩが選択されうる。さらに、説明するように、受信するための電子構成要素１３０４はさらに、アクセス・ポイントからローカル・パラメータを受信し、選択するための電子構成要素１３０６はさらに、ローカル・パラメータに基づいて、ＰＣＩを選択しうる。選択するための電子構成要素１３０６はさらに、前述したように、以前のＰＣＩ要求中に、近隣のアクセス・ポイントから受信したローカル・パラメータに基づいてＰＣＩを選択しうる。さらに、論理グループ１３０２は、ＰＣＩをアクセス・ポイントへ送信するための電子構成要素１３０８を含みうる。さらに、システム１３００は、電子構成要素１３０４、１３０６、１３０８に関連付けられた機能を実行するための命令群を保持するメモリ１３１０を含みうる。メモリ１３１０の外側にあると示されているが、電子構成要素１３０４、１３０６、１３０８のうちの１または複数は、メモリ１３１０内に存在しうることが理解されるべきである。
【００８５】
図１４を参照して、ＰＣＩのリストを受信することと、このリストからＰＣＩを選択することとを容易にするシステム１４００が例示されている。例えば、システム１４００は、基地局、モバイル・デバイス等の中に少なくとも部分的に存在しうる。システム１４００は、プロセッサ、ソフトウェア、またはそれらの組み合わせ（例えば、ファームウェア）によって実現される機能を表す機能ブロックでありうる機能ブロックを含むものとして示されることが認識されるべきである。システム１４００は、連携して動作しうる電子構成要素の論理グループ１４０２を含む。例えば、論理グループ１４０２は、ネットワーク構成要素からＰＣＩのリストを受信するための電子構成要素１４０４を含みうる。一例では、説明するように、このリストは、ネットワーク構成要素による望ましさにしたがって優先度付けがなされうる。さらに、論理グループ１４０２は、ＰＣＩのリストで指定されたＰＣＩのパラメータにしたがって、無線ネットワークにおいて通信するため、ＰＣＩのリスト内のＰＣＩを選択するための電子構成要素１４０６を含みうる。これらパラメータは、リスト内のＰＣＩの優先度、１または複数のアクセス・ポイントがＰＣＩを選択する確率等でありうる。
【００８６】
さらに、論理グループ１４０２は、１または複数の近隣のアクセス・ポイントに関連する１または複数のＲＦパラメータを受信するための電子構成要素１４０８を含みうる。したがって、ＰＣＩを選択するための電子構成要素１４０６は、さらに、ＲＦパラメータに基づいて、リストにおけるＰＣＩを選択しうる。例えば、リスト内で最も高くランク付けされたＰＣＩが、このＰＣＩを用いるアクセス・ポイントから、望ましくないＲＦパラメータを有している場合、説明するように、次に高くランク付けされたＰＣＩが、電子構成要素１４０６によって選択されうる。さらに、論理グループ１４０２は、１または複数のローカル・パラメータを備えるＰＣＩ要求をネットワーク構成要素へ送信するための電子構成要素１４１０を含みうる。したがって、例えば、受信されたリストは、ローカル・パラメータに基づいて優先度付けがなされうる。さらに、システム１４００は、電子構成要素１４０４、１４０６、１４０８、１４１０に関連付けられた機能を実行するための命令群を保持するメモリ１４１２を含みうる。メモリ１４１２の外側にあると示されているが、電子構成要素１４０４、１４０６、１４０８、１４１０のうちの１または複数は、メモリ１４１２内に存在しうることが理解されるべきである。
【００８７】
図１５を参照して、ＰＣＩの優先度リストを、アクセス・ポイントへ提供するシステム１５００が例示される。例えば、システム１５００は、基地局、モバイル・デバイス等の中に少なくとも部分的に存在しうる。システム１５００は、プロセッサ、ソフトウェア、またはそれらの組み合わせ（例えば、ファームウェア）によって実現される機能を表す機能ブロックでありうる機能ブロックを含むものとして示されることが認識されるべきである。システム１５００は、連携して動作しうる電子構成要素の論理グループ１５０２を含む。例えば、論理グループ１５０２は、アクセス・ポイントに関連する１または複数のパラメータを備えるＰＣＩ要求をアクセス・ポイントから受信するための電子構成要素１５０４を含みうる。説明するように、これらパラメータは、位置、高度、送信電力、１または複数の近隣パラメータ等に関連しうる。さらに、論理グループ１５０２は、１または複数の別のアクセス・ポイントから受信した１または複数の別のパラメータと比較された１または複数のパラメータに少なくとも部分的に基づいて、各ＰＣＩのリスト・パラメータを備える、アクセス・ポイントのためのＰＣＩのリストを生成するＰＣＩリスト構成要素を含みうる。例えば、これらパラメータは、リスト内の所与のＰＣＩの優先度、１または複数のアクセス・ポイントが、このリスト内のＰＣＩを選択する確率等に関連しうる。
【００８８】
したがって、説明するように、このリストは、アクセス・ポイント近傍の別のアクセス・ポイントとのＰＣＩ衝突を避けるように生成されうる。この情報は、説明するように、以前のＰＣＩ要求において、アクセス・ポイントおよび別のアクセス・ポイントから受信されたパラメータから知られうる。それに加えて、以前のリストの置換えが、電子構成要素１５０６によって提供されうる。例えば、電子構成要素１５０６は、アクセス・ポイントのリストを生成する場合、説明するように、アクセス・ポイントのために生成されたリストに基づいて、このリストを再度優先度付けする別の近隣のアクセス・ポイントのためのリストを生成しうる。さらに、論理グループ１５０２は、ＰＣＩのリストをアクセス・ポイントへ送信するための電子構成要素１５０８を含みうる。さらに、システム１５００は、電子構成要素１５０４、１５０６、１５０８に関連付けられた機能を実行するための命令群を保持するメモリ１５１０を含みうる。メモリ１５１０の外側にあると示されているが、電子構成要素１５０４、１５０６、１５０８のうちの１または複数は、メモリ１５１０内に存在しうることが理解されるべきである。
【００８９】
本明細書で開示された実施形態に関連して記述されたさまざまな例示的なロジック、論理ブロック、モジュール、および回路は、汎用プロセッサ、デジタル信号プロセッサ（ＤＳＰ）、特定用途向け集積回路（ＡＳＩＣ）、フィールド・プログラマブル・ゲート・アレイ（ＦＰＧＡ）あるいはその他のプログラマブル論理デバイス、ディスクリート・ゲートあるいはトランジスタ・ロジック、ディスクリート・ハードウェア構成要素、または上述された機能を実現するために設計された上記何れかの組み合わせを用いて実現または実施されうる。汎用プロセッサとしてマイクロ・プロセッサを用いることが可能であるが、代わりに、従来技術によるプロセッサ、コントローラ、マイクロ・コントローラ、あるいは順序回路を用いることも可能である。プロセッサは、例えばＤＳＰとマイクロ・プロセッサとの組み合わせ、複数のマイクロ・プロセッサ、ＤＳＰコアと連携する１または複数のマイクロ・プロセッサ、またはその他任意のこのような構成である計算デバイスの組み合わせとして実現することも可能である。それに加えて、少なくとも１つのプロセッサは、上述したステップおよび／または動作のうちの１または複数を実行するように動作可能な１または複数のモジュールを備えうる。
【００９０】
さらに、本明細書に開示された態様に関連して記載された方法またはアルゴリズムからなるステップおよび／または動作は、ハードウェア内に直接的に組み込まれるか、プロセッサによって実行されるソフトウェア・モジュールによって組み込まれるか、これら２つの組み合わせに組み込まれうる。ソフトウェア・モジュールは、ＲＡＭメモリ、フラッシュ・メモリ、ＲＯＭメモリ、ＥＰＲＯＭメモリ、ＥＥＰＲＯＭメモリ、レジスタ、ハード・ディスク、リムーバブル・ディスク、ＣＤ−ＲＯＭ、あるいは、当該技術で周知のその他任意の形態の記憶媒体内に存在しうる。典型的な記憶媒体は、プロセッサに結合されており、これによって、プロセッサは、記憶媒体との間で情報を読み書きできるようになる。あるいは、この記憶媒体は、プロセッサに統合されうる。さらに、ある態様では、プロセッサと記憶媒体が、ＡＳＩＣ内に存在しうる。さらに、ＡＳＩＣは、ユーザ端末に存在することができる。あるいはプロセッサと記憶媒体とは、ユーザ端末内のディスクリート部品として存在することができる。さらに、いくつかの態様では、方法またはアルゴリズムのステップおよび／または動作は、機械読取可能媒体および／またはコンピュータ読取可能媒体上の１または任意の組み合わせ、または、コードおよび／または命令群のセットとして存在する。これらは、コンピュータ・プログラム製品に組み込まれうる。
【００９１】
１または複数の態様では、説明された機能が、ハードウェア、ソフトウェア、ファームウェア、またはこれらの任意の組み合わせで実現されうる。ソフトウェアで実現される場合、これら機能はコンピュータ読取可能媒体に格納されうるか、あるいは、コンピュータ読取可能媒体上の１または複数の命令群またはコードとして送信されうる。コンピュータ読取可能媒体は、コンピュータ記憶媒体と通信媒体との両方を含む。これらは、コンピュータ・プログラムのある場所から別の場所への転送を容易にする任意の媒体を含む。記憶媒体は、コンピュータによってアクセスされる利用可能な任意の媒体でありうる。例として、限定することなく、そのようなコンピュータ読取可能媒体は、ＲＡＭ、ＲＯＭ、ＥＥＰＲＯＭ、ＣＤ−ＲＯＭまたはその他の光ディスク記憶装置、磁気ディスク記憶装置またはその他の磁気記憶デバイス、あるいは、所望のプログラム・コード手段を命令群またはデータ構造の形式で搬送または格納するために使用され、しかも、コンピュータによってアクセスされうるその他任意の媒体を備えうる。さらに、いかなる接続も、コンピュータ読取可能媒体と適切に称される。同軸ケーブル、光ファイバ・ケーブル、ツイスト・ペア、デジタル加入者線（ＤＳＬ）、あるいは、例えば赤外線、無線およびマイクロ波のような無線技術を使用して、ウェブサイト、サーバ、あるいはその他の遠隔ソースからソフトウェアが送信される場合、同軸ケーブル、光ファイバ・ケーブル、ツイスト・ペア、ＤＳＬ、あるいは、例えば赤外線、無線およびマイクロ波のような無線技術が、媒体の定義に含まれる。本明細書で使用されるｄｉｓｋおよびｄｉｓｃは、コンパクト・ディスク（ｄｉｓｃ）（ＣＤ）、レーザ・ディスク（ｄｉｓｃ）、光ディスク（ｄｉｓｃ）、デジタル多目的ディスク（ｄｉｓｃ）（ＤＶＤ）、フロッピー（登録商標）ディスク（ｄｉｓｋ）、およびブルーレイ・ディスク（ｄｉｓｃ）を含む。通常、ｄｉｓｋは、データを磁気的に再生し、ｄｉｓｃは、レーザを用いて光学的にデータを再生する。上記の組み合わせもまた、コンピュータ読取可能媒体の範囲内に含まれるべきである。
【００９２】
前述した開示は、例示的な態様および／または実施形態を開示しているが、さまざまな変更および修正が、特許請求の範囲で定義されたような説明された態様および／または実施形態の範囲から逸脱することなくなされうることが注目されるべきである。さらに、説明された態様および／または実施形態の構成要素は、単数形で記載または特許請求されているが、もしも単数であると明示的に述べられていないのであれば、複数が考慮される。さらに、任意の態様および／または実施形態のすべてまたは一部は、特に述べられていないのであれば、その他任意の態様および／または実施形態のすべてまたは一部とともに利用されうる。さらにまた、用語「含む」が、詳細説明あるいは特許請求の範囲のうちの何れかで使用されている限り、その用語は、用語「備える」が、請求項における遷移語として適用される場合に解釈される用語「備える」と同様に、包括的であることが意図される。さらに、記載された態様の要素および／または態様は、単数形で記載または権利主張されているが、単数に対する限定が明確に述べられていないのであれば、複数が考慮される。さらに、任意の態様および／または実施形態のすべてまたは一部は、特に述べられていないのであれば、その他任意の態様および／または実施形態のすべてまたは一部とともに利用されうる。
以下に本願発明の当初の特許請求の範囲に記載された発明を付記する。
［Ｃ１］
方法であって、
１または複数の近隣のアクセス・ポイントに関連する１または複数のラジオ周波数（ＲＦ）パラメータを測定することと、
物理セル識別子（ＰＣＩ）割当を受信するために、前記１または複数のＲＦパラメータをネットワーク構成要素へ送信することと
を備える方法。
［Ｃ２］
１または複数のＰＣＩを備える前記ＰＣＩ割当を、前記ネットワーク構成要素から受信することをさらに備えるＣ１に記載の方法。
［Ｃ３］
無線ネットワークにおいて通信するために、前記１または複数のＰＣＩのうちの少なくとも１つを利用することをさらに備えるＣ２に記載の方法。
［Ｃ４］
前記ＰＣＩ割当を受信するために、前記ネットワーク構成要素へ１または複数のローカル・パラメータを送信することをさらに備えるＣ１に記載の方法。
［Ｃ５］
前記１または複数のＲＦパラメータを測定することは、前記１または複数の近隣のアクセス・ポイントの信号強度を測定することを含むＣ１に記載の方法。
［Ｃ６］
前記１または複数のＲＦパラメータを測定することは、前記１または複数の近隣のアクセス・ポイントから受信した信号を評価することを含むＣ１に記載の方法。
［Ｃ７］
前記１または複数のＲＦパラメータを測定することは、前記１または複数の近隣のアクセス・ポイントと通信するデバイスから、前記ＲＦパラメータを受信することを含むＣ１に記載の方法。
［Ｃ８］
前記１または複数のＲＦパラメータを測定することは、前記１または複数の近隣のアクセス・ポイントから、バックホール・リンクを介して、前記ＲＦパラメータを受信することを含むＣ１に記載の方法。
［Ｃ９］
無線通信装置であって、
１または複数の周囲のアクセス・ポイントに関連する１または複数のラジオ周波数（ＲＦ）パラメータを受信し、
前記１または複数のＲＦパラメータを含む、物理セル識別子（ＰＣＩ）を求める要求を、ネットワーク構成要素へ送信する
ように構成された少なくとも１つのプロセッサと、
前記少なくとも１つのプロセッサに接続されたメモリと
を備える無線通信装置。
［Ｃ１０］
前記少なくとも１つのプロセッサはさらに、前記１または複数のＲＦパラメータに基づいて、前記ネットワーク構成要素からＰＣＩを受信するように構成されたＣ９に記載の無線通信装置。
［Ｃ１１］
前記少なくとも１つのプロセッサは、前記ＰＣＩを求める要求とともに、１または複数のローカル・パラメータを送信するＣ９に記載の無線通信装置。
［Ｃ１２］
前記１または複数のＲＦパラメータは、前記１または複数の周囲のアクセス・ポイントの、測定された信号強度を含むＣ９に記載の無線通信装置。
［Ｃ１３］
前記少なくとも１つのプロセッサは、前記１または複数の周囲のアクセス・ポイントとのバックホール・リンクを少なくとも部分的に介して、前記１または複数のＲＦパラメータを受信するＣ９に記載の無線通信装置。
［Ｃ１４］
前記少なくとも１つのプロセッサは、前記１または複数の周囲のアクセス・ポイントと通信する１または複数のモバイル・デバイスから、前記１または複数のＲＦパラメータを受信するＣ９に記載の無線通信装置。
［Ｃ１５］
装置であって、
１または複数の近隣のアクセス・ポイントから、１または複数のラジオ周波数（ＲＦ）パラメータを取得する手段と、
前記１または複数のＲＦパラメータを、物理セル識別子（ＰＣＩ）を求める要求とともに送信する手段と
を備える装置。
［Ｃ１６］
ネットワーク構成要素から１または複数のＰＣＩを受信する手段をさらに備え、
前記送信する手段は、前記要求を前記ネットワーク構成要素へ送信するＣ１５に記載の装置。
［Ｃ１７］
無線ネットワークを介したその後の通信において、前記１または複数のＰＣＩを利用するＣ１６に記載の装置。
［Ｃ１８］
前記ＰＣＩを求める要求とともに、１または複数のローカル・パラメータを送信する手段をさらに備えるＣ１５に記載の装置。
［Ｃ１９］
前記１または複数のＲＦパラメータを取得する手段は、前記１または複数の近隣のアクセス・ポイントから受信した信号の強度を測定し、
前記強度は、前記ＰＣＩを求める要求とともに送信されるＲＦパラメータであるＣ１５に記載の装置。
［Ｃ２０］
前記１または複数のＲＦパラメータを取得する手段は、前記１または複数のＲＦパラメータを、前記１または複数の近隣のアクセス・ポイントとのバックホール・リンクを介して受信するＣ１５に記載の装置。
［Ｃ２１］
前記１または複数のＲＦパラメータを取得する手段は、前記１または複数の近隣のアクセス・ポイントと通信するＵＥから、前記１または複数のＲＦパラメータを受信するＣ１５に記載の装置。
［Ｃ２２］
コンピュータ読取可能媒体を備えるコンピュータ・プログラム製品であって、
前記コンピュータ読取可能媒体は、
少なくとも１つのコンピュータに対して、１または複数の近隣のアクセス・ポイントに関連する１または複数のラジオ周波数（ＲＦ）パラメータを測定させるためのコードと、
前記少なくとも１つのコンピュータに対して、物理セル識別子（ＰＣＩ）割当を受信するために、前記１または複数のＲＦパラメータをネットワーク構成要素へ送信させるためのコードと
を備えるコンピュータ・プログラム製品。
［Ｃ２３］
前記コンピュータ読取可能媒体はさらに、前記少なくとも１つのコンピュータに対して、１または複数のＰＣＩを備える前記ＰＣＩ割当を、前記ネットワーク構成要素から受信させるためのコードを備えるＣ２２に記載のコンピュータ・プログラム製品。
［Ｃ２４］
前記コンピュータ読取可能媒体はさらに、前記少なくとも１つのコンピュータに対して、前記ＰＣＩ割当を受信するために、前記ネットワーク構成要素へ１または複数のローカル・パラメータを送信させるためのコードを備えるＣ２２に記載のコンピュータ・プログラム製品。
［Ｃ２５］
前記少なくとも１つのコンピュータに対して、前記１または複数のＲＦパラメータを測定させるためのコードは、前記１または複数の近隣のアクセス・ポイントの信号強度を測定するＣ２２に記載のコンピュータ・プログラム製品。
［Ｃ２６］
前記少なくとも１つのコンピュータに対して、前記１または複数のＲＦパラメータを測定させるためのコードは、前記１または複数の近隣のアクセス・ポイントから受信した信号を評価するＣ２２に記載のコンピュータ・プログラム製品。
［Ｃ２７］
装置であって、
１または複数の近隣のアクセス・ポイントから、１または複数のラジオ周波数（ＲＦ）パラメータを受信する近隣測定構成要素と、
前記１または複数のＲＦパラメータを、物理セル識別子（ＰＣＩ）を求める要求とともに送信する物理セル識別子（ＰＣＩ）要求構成要素と
を備える装置。
［Ｃ２８］
前記ＰＣＩ要求構成要素が前記要求を送信するネットワーク構成要素から、１または複数のＰＣＩを取得するＰＣＩ受信構成要素をさらに備えるＣ２７に記載の装置。
［Ｃ２９］
無線ネットワークを介したその後の通信において、前記１または複数のＰＣＩを利用するＣ２８に記載の装置。
［Ｃ３０］
１または複数のローカル・パラメータを、前記ＰＣＩを求める要求とともに含むローカル・パラメータ構成要素をさらに備えるＣ２７に記載の装置。
［Ｃ３１］
前記近隣測定構成要素は、前記１または複数の近隣のアクセス・ポイントから受信した信号の強度を測定し、前記強度は、前記ＰＣＩを求める要求とともに送信されるＲＦパラメータであるＣ２７に記載の装置。
［Ｃ３２］
前記近隣測定構成要素は、前記１または複数のＲＦパラメータを、前記１または複数の近隣のアクセス・ポイントとのバックホール・リンクを介して受信するＣ２７に記載の装置。
［Ｃ３３］
前記近隣測定構成要素は、前記１または複数の近隣のアクセス・ポイントと通信するＵＥから、前記１または複数のＲＦパラメータを受信するＣ２７に記載の装置。
［Ｃ３４］
方法であって、
１または複数の近隣のアクセス・ポイントに関連する１または複数のラジオ周波数（ＲＦ）パラメータを備える物理セル識別子（ＰＣＩ）要求を、アクセス・ポイントから受信することと、
前記１または複数のＲＦパラメータに少なくとも部分的に基づいて、前記アクセス・ポイントのＰＣＩを選択することと、
前記ＰＣＩを前記アクセス・ポイントへ送信することと
を備える方法。
［Ｃ３５］
前記アクセス・ポイントに関連する１または複数のローカル・パラメータを、前記ＰＣＩ要求で受信することをさらに備えるＣ３４に記載の方法。
［Ｃ３６］
前記ＰＣＩ要求を、アクセス・ポイントから受信することは、前記１または複数の近隣のアクセス・ポイントのうちの少なくとも１つから受信した信号の、前記アクセス・ポイントにおける強度を含む１または複数のＲＦパラメータを備える前記ＰＣＩ要求を、前記アクセス・ポイントから受信することを含むＣ３４に記載の方法。
［Ｃ３７］
前記ＰＣＩを選択することは、前記信号の強度が、しきい強度未満であるかしきい強度を超えているかを評価することを含むＣ３６に記載の方法。
［Ｃ３８］
前記ＰＣＩを選択することはさらに、前記１または複数の近隣のアクセス・ポイントのうちの少なくとも１つから受信した１または複数のローカル・パラメータを評価することに少なくとも部分的に基づくＣ３４に記載の方法。
［Ｃ３９］
無線通信装置であって、
周囲のアクセス・ポイントに関連する１または複数のラジオ周波数（ＲＦ）パラメータを備える物理セル識別子（ＰＣＩ）要求を、アクセス・ポイントから受信し、
前記１または複数のＲＦパラメータと、利用可能なＰＣＩとを比較することに少なくとも部分的に基づいて、前記アクセス・ポイントのＰＣＩを決定し、
前記ＰＣＩを前記アクセス・ポイントへ送信する
ように構成された少なくとも１つのプロセッサと、
前記少なくとも１つのプロセッサに接続されたメモリと
を備える無線通信装置。
［Ｃ４０］
前記少なくとも１つのプロセッサはさらに、前記アクセス・ポイントから１または複数のローカル・パラメータを受信するように構成され、前記少なくとも１つのプロセッサは、さらに前記１または複数のローカル・パラメータに基づいて前記ＰＣＩを決定するＣ３９に記載の無線通信装置。
［Ｃ４１］
前記１または複数のＲＦパラメータは、前記アクセス・ポイントによって受信された、前記周囲のアクセス・ポイントのうちの少なくとも１つの信号強度を含むＣ３９に記載の無線通信装置。
［Ｃ４２］
前記少なくとも１つのプロセッサは、
前記ＰＣＩを、前記信号強度を、前記ＲＦパラメータにおける他の信号強度を比較することと、しきいレベル未満の信号強度を有する別のアクセス・ポイントのＰＣＩを選択することと、によって決定するＣ４１に記載の無線通信装置。
［Ｃ４３］
前記少なくとも１つのプロセッサは、さらに、前記周囲のアクセス・ポイントのうちの少なくとも１つから、ＰＣＩ要求で受信した１または複数のローカル・パラメータに少なくとも部分的に基づいて、前記ＰＣＩを決定するＣ４１に記載の無線通信装置。
［Ｃ４４］
装置であって、
少なくとも１つの近隣のアクセス・ポイントに関連する１または複数のラジオ周波数（ＲＦ）パラメータを、アクセス・ポイントから受信する手段と、
前記１または複数のＲＦパラメータに少なくとも部分的に基づいて、前記アクセス・ポイントの物理セル識別子（ＰＣＩ）を選択する手段と、
前記ＰＣＩを前記アクセス・ポイントへ送信する手段と
を備える装置。
［Ｃ４５］
前記１または複数のＲＦパラメータを受信する手段はさらに、前記アクセス・ポイントに関連する１または複数のローカル・パラメータを受信し、
前記ＰＣＩを選択する手段は、さらに前記１または複数のローカル・パラメータに基づいて前記ＰＣＩを選択するＣ４４に記載の装置。
［Ｃ４６］
前記１または複数のＲＦパラメータは、前記少なくとも１つの近隣のアクセス・ポイントに関連する信号強度であるＣ４４に記載の装置。
［Ｃ４７］
前記ＰＣＩを選択する手段は、前記信号強度がしきいレベル未満である場合、前記少なくとも１つの近隣のアクセス・ポイントのＰＣＩを選択するＣ４６に記載の装置。
［Ｃ４８］
前記ＰＣＩを選択する手段は、前記信号強度が、前記１または複数のＲＦパラメータで受信した実質的にすべての信号強度よりも低い場合、前記少なくとも１つの近隣のアクセス・ポイントのＰＣＩを選択するＣ４６に記載の装置。
［Ｃ４９］
前記ＰＣＩを選択する手段は、さらに、前記少なくとも１つの近隣のアクセス・ポイントから、前のＰＣＩ要求で受信した１または複数のローカル・パラメータに少なくとも部分的に基づいて、前記ＰＣＩを決定するＣ４４に記載の装置。
［Ｃ５０］
コンピュータ読取可能媒体を備えるコンピュータ・プログラム製品であって、
前記コンピュータ読取可能媒体は、
少なくとも１つのコンピュータに対して、１または複数の近隣のアクセス・ポイントに関連する１または複数のラジオ周波数（ＲＦ）パラメータを備える物理セル識別子（ＰＣＩ）要求を、アクセス・ポイントから受信させるためのコードと、
前記少なくとも１つのコンピュータに対して、前記１または複数のＲＦパラメータに少なくとも部分的に基づいて、前記アクセス・ポイントのＰＣＩを選択させるためのコードと、
前記少なくとも１つのコンピュータに対して、前記ＰＣＩを前記アクセス・ポイントへ送信させるためのコードと
を備えるコンピュータ・プログラム製品。
［Ｃ５１］
前記コンピュータ読取可能媒体はさらに、前記少なくとも１つのコンピュータに対して、前記アクセス・ポイントに関連する１または複数のローカル・パラメータを、前記ＰＣＩ要求で受信させるためのコードを備えるＣ５０に記載のコンピュータ・プログラム製品。
［Ｃ５２］
前記少なくとも１つのコンピュータに対して、前記ＰＣＩを選択させるためのコードはさらに、前記１または複数の近隣のアクセス・ポイントのうちの少なくとも１つから受信した１または複数の別のローカル・パラメータを評価するＣ５１に記載のコンピュータ・プログラム製品。
［Ｃ５３］
装置であって、
少なくとも１つの近隣のアクセス・ポイントに関連する１または複数のラジオ周波数（ＲＦ）パラメータを、アクセス・ポイントから取得する物理セル識別子（ＰＣＩ）パラメータ受信構成要素と、
前記１または複数のＲＦパラメータに少なくとも部分的に基づいて、前記アクセス・ポイントの物理セル識別子（ＰＣＩ）を選択するＰＣＩ選択構成要素と、
前記ＰＣＩを前記アクセス・ポイントへ送信するＰＣＩ送信構成要素と
を備える装置。
［Ｃ５４］
前記ＰＣＩパラメータ受信構成要素はさらに、前記アクセス・ポイントに関連する１または複数のローカル・パラメータを受信し、前記ＰＣＩ選択構成要素は、さらに、前記１または複数のローカル・パラメータに基づいて前記ＰＣＩを選択するＣ５３に記載の装置。
［Ｃ５５］
前記１または複数のＲＦパラメータは、前記少なくとも１つの近隣のアクセス・ポイントに関連する信号強度であるＣ５３に記載の装置。
［Ｃ５６］
前記ＰＣＩ選択構成要素は、前記信号強度がしきいレベル未満である場合、前記少なくとも１つの近隣のアクセス・ポイントのＰＣＩを選択するＣ５５に記載の装置。
［Ｃ５７］
前記ＰＣＩ選択構成要素は、さらに、前記少なくとも１つの近隣のアクセス・ポイントから、前のＰＣＩ要求で受信した１または複数のローカル・パラメータに少なくとも部分的に基づいて、前記ＰＣＩを選択するＣ５３に記載の装置。
［Ｃ５８］
方法であって、
ネットワーク構成要素から物理セル識別子（ＰＣＩ）のリストを受信することと、
前記ＰＣＩのリストで示されたＰＣＩに関連するパラメータに少なくとも部分的に基づいて、前記ＰＣＩのリストからＰＣＩを選択することと
を備える方法。
［Ｃ５９］
前記ＰＣＩを選択することは、前記ＰＣＩのリストの優先度に少なくとも部分的に基づいて、前記ＰＣＩのリストからＰＣＩを選択することを含むＣ５８に記載の方法。
［Ｃ６０］
前記ＰＣＩを選択することは、別のアクセス・ポイントがＰＣＩを選択する確率に少なくとも部分的に基づいて、前記ＰＣＩのリストからＰＣＩを選択することを含むＣ５８に記載の方法。
［Ｃ６１］
１または複数の近隣のアクセス・ポイントに関連する１または複数のラジオ周波数（ＲＦ）パラメータを受信することをさらに備え、
前記ＰＣＩを選択することはさらに、それぞれのアクセス・ポイントが前記ＰＣＩを使用する場合、前記１または複数のＲＦパラメータを評価することを含むＣ５８に記載の方法。
［Ｃ６２］
前記１または複数のＲＦパラメータを受信することは、少なくとも部分的に、前記１または複数の近隣のアクセス・ポイントによって送信された信号を測定することにより、前記１または複数のＲＦパラメータを受信することを含むＣ６１に記載の方法。
［Ｃ６３］
前記１または複数のＲＦパラメータを受信することは、前記１または複数の近隣のアクセス・ポイントと通信する１または複数のＵＥから、前記１または複数のＲＦパラメータを受信することを含むＣ６１に記載の方法。
［Ｃ６４］
前記１または複数のＲＦパラメータを受信することは、前記１または複数の近隣のアクセス・ポイントとのバックホール・リンクを介して、前記１または複数のＲＦパラメータを受信することを含むＣ６１に記載の方法。
［Ｃ６５］
１または複数のローカル・パラメータを備えるＰＣＩ要求を前記ネットワーク構成要素へ送信することをさらに備え、
前記ＰＣＩのリストは、前記ＰＣＩ要求に応じて受信されるＣ５８に記載の方法。
［Ｃ６６］
無線通信装置であって、
ネットワーク構成要素から物理セル識別子（ＰＣＩ）のリストを受信し、
無線ネットワークにおける通信を容易にするために、前記リスト内の関連付けられたパラメータに基づいて、前記ＰＣＩのリストからＰＣＩを選択する
ように構成された少なくとも１つのプロセッサと、
前記少なくとも１つのプロセッサに接続されたメモリと
を備える無線通信装置。
［Ｃ６７］
前記関連付けられたパラメータは、前記リスト内のＰＣＩの優先度であるＣ６６に記載の無線通信装置。
［Ｃ６８］
前記関連付けられたパラメータは、１または複数のアクセス・ポイントが前記ＰＣＩを選択する確率であるＣ６６に記載の無線通信装置。
［Ｃ６９］
前記少なくとも１つのプロセッサはさらに、周囲のアクセス・ポイントから１または複数の無線周波数（ＲＦ）パラメータを受信するように構成され、
前記少なくとも１つのプロセッサは、前記１または複数のＲＦパラメータにさらに基づいて前記ＰＣＩを選択するＣ６６に記載の無線通信装置。
［Ｃ７０］
前記少なくとも１つのプロセッサは、前記周囲のアクセス・ポイントと通信するＵＥから、前記１または複数のＲＦパラメータを受信するＣ６９に記載の無線通信装置。
［Ｃ７１］
前記少なくとも１つのプロセッサはさらに、１または複数のローカル・パラメータを備えるＰＣＩ要求を、前記ネットワーク構成要素に送信するように構成され、
前記少なくとも１つのプロセッサは、前記ＰＣＩ要求に応じて、前記ＰＣＩのリストを受信するＣ６６に記載の無線通信装置。
［Ｃ７２］
装置であって、
ネットワーク構成要素から物理セル識別子（ＰＣＩ）のリストを受信する手段と、
無線ネットワークにおける通信のために、前記ＰＣＩのリストにおいて指定されたＰＣＩのパラメータにしたがって、前記ＰＣＩのリスト内のＰＣＩを選択する手段と
を備える装置。
［Ｃ７３］
前記パラメータは、前記ＰＣＩのリスト内のＰＣＩの優先度であるＣ７２に記載の装置。
［Ｃ７４］
前記パラメータは、１または複数の別のアクセス・ポイントが前記ＰＣＩを選択する確率であるＣ７２に記載の装置。
［Ｃ７５］
１または複数の近隣のアクセス・ポイントに関連する１または複数のラジオ周波数（ＲＦ）パラメータを受信する手段をさらに備え、
前記ＰＣＩのリスト内のＰＣＩを選択する手段は、前記ＰＣＩを選択する際に、それぞれのアクセス・ポイントが前記ＰＣＩを利用する場合、前記１または複数のＲＦパラメータを評価するＣ７２に記載の装置。
［Ｃ７６］
前記１または複数のＲＦパラメータを受信する手段は、前記ＲＦパラメータを取得するために、前記１または複数の近隣のアクセス・ポイントによって送信された信号を測定するＣ７５に記載の装置。
［Ｃ７７］
前記１または複数のＲＦパラメータを受信する手段は、前記１または複数の近隣のアクセス・ポイントと通信する１または複数のＵＥから、前記１または複数のＲＦパラメータを受信するＣ７５に記載の装置。
［Ｃ７８］
前記１または複数のＲＦパラメータを受信する手段は、前記１または複数の近隣のアクセス・ポイントとのバックホール・リンクを介して、前記１または複数のＲＦパラメータを受信するＣ７５に記載の装置。
［Ｃ７９］
１または複数のローカル・パラメータを備えるＰＣＩ要求を、前記ネットワーク構成要素に送信する手段をさらに備え、
前記ＰＣＩのリストを受信する手段は、前記ＰＣＩ要求に応じて、前記リストを受信するＣ７２に記載の装置。
［Ｃ８０］
前記無線ネットワークを介したその後の通信において、前記選択されたＰＣＩを利用するＣ７２に記載の装置。
［Ｃ８１］
コンピュータ読取可能媒体を備えるコンピュータ・プログラム製品であって、
前記コンピュータ読取可能媒体は、
少なくとも１つのコンピュータに対して、ネットワーク構成要素から物理セル識別子（ＰＣＩ）のリストを受信させるためのコードと、
前記少なくとも１つのコンピュータに対して、前記ＰＣＩのリストにおいて示されたＰＣＩのパラメータに少なくとも部分的に基づいて、前記ＰＣＩのリストからＰＣＩを選択させるためのコードと
を備えるコンピュータ・プログラム製品。
［Ｃ８２］
前記パラメータは、前記ＰＣＩのリスト内のＰＣＩの優先度であるＣ８１に記載のコンピュータ・プログラム製品。
［Ｃ８３］
前記パラメータは、別のアクセス・ポイントが前記ＰＣＩを選択する確率であるＣ８１に記載のコンピュータ・プログラム製品。
［Ｃ８４］
前記コンピュータ読取可能媒体はさらに、前記少なくとも１つのコンピュータに対して、１または複数の近隣のアクセス・ポイントに関連する１または複数のラジオ周波数（ＲＦ）パラメータを受信させるためのコードを備え、
前記ＰＣＩを選択することはさらに、それぞれのアクセス・ポイントが前記ＰＣＩを利用する場合、前記１または複数のＲＦパラメータを評価することを含むＣ８１に記載のコンピュータ・プログラム製品。
［Ｃ８５］
前記コンピュータに対して、前記１または複数のＲＦパラメータを受信させるためのコードは、少なくとも部分的に、１または複数の近隣のアクセス・ポイントによって送信された信号を測定することにより、前記１または複数のＲＦパラメータを受信するＣ８４に記載のコンピュータ・プログラム製品。
［Ｃ８６］
前記コンピュータ読取可能媒体はさらに、前記少なくとも１つのコンピュータに対して、１または複数のローカル・パラメータを備えるＰＣＩ要求を、前記ネットワーク構成要素に送信させるためのコードを備え、
前記ＰＣＩのリストは、前記ＰＣＩ要求に応じて受信されるＣ８１に記載のコンピュータ・プログラム製品。
［Ｃ８７］
装置であって、
ネットワーク構成要素から物理セル識別子（ＰＣＩ）のリストを取得する物理セル識別子（ＰＣＩ）受信構成要素と、
無線ネットワークにおける通信のために、前記ＰＣＩのリストにおいて指定されたＰＣＩのパラメータにしたがって、前記ＰＣＩのリストにおけるＰＣＩを選択するＰＣＩ選択構成要素と
を備える装置。
［Ｃ８８］
前記パラメータは、前記ＰＣＩのリスト内のＰＣＩの優先度であるＣ８７に記載の装置。
［Ｃ８９］
前記パラメータは、１または複数の別のアクセス・ポイントが前記ＰＣＩを選択する確率であるＣ８７に記載の装置。
［Ｃ９０］
１または複数の近隣のアクセス・ポイントに関連する１または複数のラジオ周波数（ＲＦ）パラメータを受信する近隣測定構成要素をさらに備え、
前記ＰＣＩ選択構成要素は、前記ＰＣＩを選択する際に、それぞれのアクセス・ポイントが前記ＰＣＩを利用する場合、前記１または複数のＲＦパラメータを評価するＣ８７に記載の装置。
［Ｃ９１］
前記近隣測定構成要素は、前記ＲＦパラメータを取得するために、前記１または複数の近隣のアクセス・ポイントによって送信された信号を分析するＣ９０に記載の装置。
［Ｃ９２］
１または複数のローカル・パラメータを備えるＰＣＩ要求を、前記ネットワーク構成要素に送信するＰＣＩ要求構成要素をさらに備え、
前記ＰＣＩのリストを取得するＰＣＩ受信構成要素は、前記ＰＣＩ要求に応じて前記リストを受信するＣ８７に記載の装置。
［Ｃ９３］
方法であって、
アクセス・ポイントに関連する１または複数のパラメータを備える物理セル識別子（ＰＣＩ）要求を、前記アクセス・ポイントから受信することと、
複数の別のアクセス・ポイントから受信した１または複数の別のパラメータを評価することと、
前記１または複数の別のパラメータと比較された１または複数のパラメータに少なくとも部分的に基づいて、各ＰＣＩのための少なくとも１つのリスト・パラメータを示す、アクセス・ポイントのためのＰＣＩのリストを生成することと
を備える方法。
［Ｃ９４］
前記少なくとも１つのリスト・パラメータを示すことは、前記ＰＣＩのリストにおけるＰＣＩの優先度を指定することを含むＣ９３に記載の方法。
［Ｃ９５］
前記少なくとも１つのリスト・パラメータを示すことは、１または複数の別のアクセス・ポイントが前記ＰＣＩを選択する確率であるＣ９３に記載の方法。
［Ｃ９６］
前記リストを生成することは、前記複数の別のアクセス・ポイントのうちの少なくとも１つの１または複数の別のアクセス・ポイント・パラメータと比較された、前記アクセス・ポイントの１または複数のアクセス・ポイント・パラメータに基づいて、前記リストを優先度付けることを含むＣ９３に記載の方法。
［Ｃ９７］
前記１または複数のアクセス・ポイント・パラメータおよび前記１または複数の別のアクセス・ポイント・パラメータは、前記アクセス・ポイント、および、前記複数の別のアクセス・ポイントのうちの少なくとも１つにそれぞれ関連する送信電力、位置、設定、関連付けられたユーザの数、または、セルのタイプを含むＣ９６に記載の方法。
［Ｃ９８］
前記アクセス・ポイントへＰＣＩのリストを送信することをさらに備えるＣ９３に記載の方法。
［Ｃ９９］
第２のパラメータのセットを備える第２のＰＣＩ要求を、前記第２のアクセス・ポイントから受信することと、
前記第２のパラメータのセットを分析することに少なくとも部分的に基づいて、前記第２のアクセス・ポイントのために、前記ＰＣＩのリストの置換を生成することと、
前記第２のアクセス・ポイントへ前記ＰＣＩのリストの置換を送信することと
をさらに備えるＣ９３に記載の方法。
［Ｃ１００］
無線通信装置であって、
アクセス・ポイントに関連する１または複数のパラメータを備える物理セル識別子（ＰＣＩ）要求を、前記アクセス・ポイントから取得し、
複数の別のアクセス・ポイントから受信した１または複数の別のパラメータを評価し、
１または複数の前記別のパラメータと比較された１または複数のパラメータに少なくとも部分的に基づいて、前記ＰＣＩのおのおののリスト・パラメータを用いて、前記アクセス・ポイントのためのＰＣＩのリストを生成する
ように構成された少なくとも１つのプロセッサと、
前記少なくとも１つのプロセッサに接続されたメモリと
を備える無線通信装置。
［Ｃ１０１］
前記リスト・パラメータは、前記ＰＣＩのリストにおけるおのおののＰＣＩの優先度に関連するＣ１００に記載の無線通信装置。
［Ｃ１０２］
前記リスト・パラメータは、１または複数のアクセス・ポイントが前記ＰＣＩのリストにおける各ＰＣＩを選択する確率に関連するＣ１００に記載の無線通信装置。
［Ｃ１０３］
前記少なくとも１つのプロセッサは、前記複数の別のアクセス・ポイントのうちの少なくとも１つの受信された別のアクセス・ポイント・パラメータと比較された、前記アクセス・ポイントの受信されたアクセス・ポイント・パラメータに基づいて、前記ＰＣＩのリストを優先度付けるＣ１００に記載の無線通信装置。
［Ｃ１０４］
前記少なくとも１つのプロセッサはさらに、前記アクセス・ポイントへＰＣＩのリストを送信するように構成されたＣ１００に記載の無線通信装置。
［Ｃ１０５］
装置であって、
アクセス・ポイントに関連する１または複数のパラメータを備える物理セル識別子（ＰＣＩ）要求を、前記アクセス・ポイントから受信する手段と、
１または複数の別のアクセス・ポイントから受信された１または複数の別のパラメータと比較された１または複数のパラメータに少なくとも部分的に基づいて、各ＰＣＩのリスト・パラメータを用いて、前記アクセス・ポイントのためのＰＣＩのリストを生成する手段と
を備える装置。
［Ｃ１０６］
前記リスト・パラメータは、前記ＰＣＩのリストにおけるＰＣＩの優先度であるＣ１０５に記載の装置。
［Ｃ１０７］
前記リスト・パラメータを示すことは、１または複数の別のアクセス・ポイントが前記ＰＣＩを選択する確率であるＣ１０５に記載の装置。
［Ｃ１０８］
前記リストを生成する手段は、前記１または複数の別のアクセス・ポイントのうちの少なくとも１つの別のアクセス・ポイント・パラメータと比較された前記アクセス・ポイントのアクセス・ポイント・パラメータに基づいて、前記リストを優先度付けるＣ１０５に記載の装置。
［Ｃ１０９］
前記１または複数のアクセス・ポイント・パラメータおよび前記１または複数の別のアクセス・ポイント・パラメータは、前記アクセス・ポイント、および、前記１または複数の別のアクセス・ポイントのうちの少なくとも１つにそれぞれ関連する送信電力、位置、設定、関連付けられたユーザの数、または、セルのタイプを含むＣ１０８に記載の装置。
［Ｃ１１０］
前記アクセス・ポイントへＰＣＩのリストを送信する手段をさらに備えるＣ１０５に記載の装置。
［Ｃ１１１］
前記ＰＣＩ要求を受信する手段は、第２のアクセス・ポイントから第２のＰＣＩ要求を受信し、
前記ＰＣＩのリストを生成する手段は、前記第２のＰＣＩ要求における第２のパラメータのセットを評価することに少なくとも部分的に基づいて、前記第２のアクセス・ポイントのために、前記ＰＣＩのリストの置換を生成するＣ１０５に記載の装置。
［Ｃ１１２］
コンピュータ読取可能媒体を備えるコンピュータ・プログラム製品であって、
前記コンピュータ読取可能媒体は、
少なくとも１つのコンピュータに対して、アクセス・ポイントに関連する１または複数のパラメータを備える物理セル識別子（ＰＣＩ）要求を、前記アクセス・ポイントから受信させるためのコードと、
前記少なくとも１つのコンピュータに対して、複数の別のアクセス・ポイントから受信した１または複数の別のパラメータを評価させるためのコードと、
前記少なくとも１つのコンピュータに対して、前記１または複数の別のパラメータと比較された１または複数のパラメータに少なくとも部分的に基づくリスト・パラメータを用いて、前記アクセス・ポイントのためのＰＣＩのリストを生成させるためのコードと
を備えるコンピュータ・プログラム製品。
［Ｃ１１３］
前記リスト・パラメータは、前記リストにおけるＰＣＩの優先度に関連するＣ１１２に記載のコンピュータ・プログラム製品。
［Ｃ１１４］
前記リスト・パラメータは、１または複数の別のアクセス・ポイントが前記ＰＣＩを選択する確率に関連するＣ１１２に記載のコンピュータ・プログラム製品。
［Ｃ１１５］
前記少なくとも１つのコンピュータに対して、前記リストを生成させるためのコードは、前記複数の別のアクセス・ポイントのうちの少なくとも１つの１または複数の別のアクセス・ポイント・パラメータと比較された前記アクセス・ポイントのアクセス・ポイント・パラメータに基づいて、前記リストを優先度付けるＣ１１２に記載のコンピュータ・プログラム製品。
［Ｃ１１６］
前記コンピュータ読取可能媒体は、前記少なくとも１つのコンピュータに対して、前記アクセス・ポイントへＰＣＩのリストを送信させるためのコードをさらに備えるＣ１１２に記載のコンピュータ・プログラム製品。
［Ｃ１１７］
装置であって、
アクセス・ポイントに関連する１または複数のパラメータを備える物理セル識別子（ＰＣＩ）要求を、前記アクセス・ポイントから取得する物理セル識別子（ＰＣＩ）パラメータ受信構成要素と、
１または複数の別のアクセス・ポイントから受信された１または複数の別のパラメータと比較された前記１または複数のパラメータに少なくとも部分的に基づいて、各ＰＣＩのためのリスト・パラメータを用いて、前記アクセス・ポイントのためのＰＣＩのリストを生成するＰＣＩリスト構成要素と
を備える装置。
［Ｃ１１８］
前記リスト・パラメータは、前記ＰＣＩのリスト内のＰＣＩの優先度に関連するＣ１１７に記載の装置。
［Ｃ１１９］
前記リスト・パラメータは、１または複数の別のアクセス・ポイントが前記ＰＣＩのリスト内のＰＣＩを選択する確率に関連するＣ１１７に記載の装置。
［Ｃ１２０］
前記ＰＣＩリスト構成要素は、前記１または複数の別のアクセス・ポイントのうちの少なくとも１つの別のアクセス・ポイント・パラメータと比較された、前記アクセス・ポイントのアクセス・ポイント・パラメータに基づいて、前記リストを優先度付けるＣ１１７に記載の装置。
［Ｃ１２１］
前記アクセス・ポイントへＰＣＩのリストを提供するＰＣＩ送信構成要素をさらに備えるＣ１１７に記載の装置。
［Ｃ１２２］
前記ＰＣＩパラメータ受信構成要素は、第２のＰＣＩ要求を前記第２のアクセス・ポイントから受信し、前記ＰＣＩリスト構成要素は、前記第２のＰＣＩ要求における第２のパラメータのセットを評価することに少なくとも部分的に基づいて、前記第２のアクセス・ポイントのために、前記ＰＣＩのリストの置換を生成するＣ１１７に記載の装置。
【図１】
0005836982.tif 000002
【図２】
0005836982.tif 000003
【図３】
0005836982.tif 000004
【図４】
0005836982.tif 000005
【図５】
0005836982.tif 000006
【図６】
0005836982.tif 000007
【図７】
0005836982.tif 000008
【図８】
0005836982.tif 000009
【図９】
0005836982.tif 000010
【図１０】
0005836982.tif 000011
【図１１】
0005836982.tif 000012
【図１２】
0005836982.tif 000013
【図１３】
0005836982.tif 000014
【図１４】
0005836982.tif 000015
【図１５】
0005836982.tif 000016